(57)【特許請求の範囲】
【請求項１】
充電スペースに置かれた、バッテリーで駆動されるバッテリー駆動装置の前記バッテリーを充電するための充電装置と、
前記バッテリー駆動装置の前記充電スペースを確保するために、前記充電スペースに対して設けられる充電スペース確保装置と、
前記充電装置による前記バッテリー駆動装置の充電を予約するための予約用装置と、
前記充電スペース確保装置および予約用装置と通信路を通じて接続される制御装置と
を備える充電サービス予約システムであって、
前記充電スペース確保装置は、
第１の利用識別情報の入力を受け付ける第１の受付手段と、
前記第１の受付手段で受け付けた前記第１の利用識別情報に基づく前記バッテリー駆動装置の前記充電スペースへの入場要求を、前記制御装置から受信した制御信号に基づき許可制御する入場制御機構と
を備え、
前記予約用装置は、
前記制御装置に対して第２の利用識別情報に関連付けられている充電予約要求を送信する予約要求手段
を備え、
前記制御装置は、
前記充電装置による前記充電スペースにおける前記バッテリー駆動装置の充電サービスの利用状況を管理する充電管理手段と、
前記予約用装置からの充電予約要求を受け付け、前記充電管理手段での前記充電サービスの利用状況に基づき、前記充電サービスの利用中ではない前記充電スペースまたは充電スペース確保装置を検知して、前記充電予約要求をしてきた前記予約用装置に通知すると共に、前記検知された充電サービスまたは充電スペース確保装置と前記第２の利用識別情報とを対応付けて記憶する充電予約処理手段と、
前記第１の利用識別情報と、前記記憶されている前記第２の利用識別情報とが一致しているときに、前記充電スペースへの前記バッテリー駆動装置の入場を許可するようにする制御信号を、前記充電スペース確保装置に送る手段と、
を備えることを特徴とする充電サービス予約システム。
【請求項２】
前記制御装置の充電予約処理手段は、
前記予約用装置からの充電予約要求を受信したときに、前記充電サービスの利用中でない前記充電スペースを検知できないときには、前記充電予約要求を前記第２の利用識別情報に対応付けて記憶して受け付けておき、その後、前記充電サービスの利用中でない前記充電スペースまたは充電スペース確保装置を検知できたときに、前記検知された前記充電スペースまたは充電スペース確保装置と前記第２の利用識別情報とを前記充電予約要求に対応付けて記憶して管理するようにすると共に、前記検知された前記充電スペースまたは充電スペース確保装置を前記予約用装置を通じて前記充電予約要求をした利用者に通知する
ことを特徴とする請求項１に記載の充電サービス予約システム。
【請求項３】
前記制御装置は、
前記充電装置と通信路を通じて接続されていると共に、前記充電装置を前記充電スペース確保装置と予め対応付けて管理しており、
前記バッテリー駆動装置の入場が許可された前記充電スペースを確保するための前記充電スペース確保装置と対応付けられた前記充電装置から、前記バッテリー駆動装置が充電のために接続された旨の通知を受けた後、前記充電装置に充電開始指示を送信する
ことを特徴とする請求項１または請求項２に記載の充電サービス予約システム。
【請求項４】
前記充電装置は、
前記制御装置と通信路を通じて接続されていると共に、
第３の利用識別情報の入力を受け付ける第２の受付手段と、
前記第２の受付手段で受け付けた前記第３の利用識別情報を前記制御装置に送信する第１の送信手段と、
を備え、
前記制御装置は、
前記第２の利用識別情報と前記充電装置から受信した前記第３の利用識別情報とを比較して、両者が一致したとき、前記充電装置から前記バッテリー駆動装置が充電のために接続された旨の通知を受けた後、前記充電装置に充電開始指示を送信する
ことを特徴とする請求項１または請求項２に記載の充電サービス予約システム。
【請求項５】
前記制御装置は、前記充電装置が設けられている施設に備えられる施設装置と通信路を通じて接続されていると共に、前記充電装置と通信路を通じて接続されており、
前記施設装置は、
第４の利用識別情報の入力を受け付ける第３の受付手段と、
前記第３の受付手段で受け付けた前記第４の利用識別情報を前記制御装置に送信する第２の送信手段と、
報知手段と、
を備え、
前記充電装置は、
前記バッテリー駆動装置の前記バッテリーの充電完了を前記制御装置に通知する手段
を備え、
前記制御装置は、
前記施設装置からの前記第４の利用識別情報と、前記充電管理手段で管理されている充電サービスに対応する利用識別情報とを比較して、その比較結果により充電サービスが実行されている利用者が利用している前記施設装置を判別し、判別した前記施設装置に前記充電装置からの充電完了を通知して、前記施設装置の前記報知手段により、利用者に充電完了を報知させる
ことを特徴とする請求項１〜４のいずれかに記載の充電サービス予約システム。
【請求項６】
前記予約用装置は、前記充電装置が設けられている施設に備えられる施設装置であることを特徴とする請求項１〜５のいずれかに記載の充電サービス予約システム。
【請求項７】
前記充電装置は、前記バッテリー駆動装置の複数個と接続する複数個の充電用接続手段を備え、複数個のバッテリー駆動装置を切り替えて充電する機能を備え、
前記充電用接続手段のそれぞれは、前記充電スペース確保装置がそれぞれ設けられる充電スペース毎に設けられる
ことを特徴とする請求項１〜６のいずれかに記載の充電サービス予約システム。
【請求項８】
前記バッテリー駆動装置は、バッテリーで駆動される車両である
ことを特徴とする請求項１〜７のいずれかに記載の充電サービス予約システム。
【請求項９】
充電スペースに置かれた、バッテリーで駆動されるバッテリー駆動装置の前記バッテリーを充電するための充電装置と、
前記バッテリー駆動装置の前記充電スペースを確保するために、前記充電スペースに対して設けられる充電スペース確保装置と、
前記充電装置による前記バッテリー駆動装置の充電を予約するための予約用装置と、
前記充電スペース確保装置および予約用装置と通信路を通じて接続される制御装置と
を備える充電サービス予約システムにおける充電サービス予約方法であって、
前記充電スペース確保装置は、
第１の利用識別情報の入力を受け付ける第１の受付工程と、
前記第１の受付工程で受け付けた前記第１の利用識別情報に基づく前記バッテリー駆動装置の前記充電スペースへの入場要求を、前記制御装置から受信した制御信号に基づき許可制御する入場制御機構を動作させる工程と
を備え、
前記予約用装置は、
前記制御装置に対して第２の利用識別情報に関連付けられている充電予約要求を送信する予約要求工程
を備え、
前記制御装置は、
前記充電装置による前記充電スペースにおける前記バッテリー駆動装置の充電サービスの利用状況を管理する充電管理工程と、
前記予約用装置からの充電予約要求を受け付け、前記充電管理工程での前記充電サービスの利用状況に基づき、前記充電サービスの利用中ではない前記充電スペースまたは充電スペース確保装置を検知して、前記充電予約要求をしてきた前記予約用装置に通知すると共に、前記検知された充電サービスまたは充電スペース確保装置と前記第２の利用識別情報とを対応付けて記憶する充電予約処理工程と、
前記第１の利用識別情報と、前記記憶されている前記第２の利用識別情報とが一致しているときに、前記充電スペースへの前記バッテリー駆動装置の入場を許可するようにする制御信号を、前記充電スペース確保装置に送る工程と、
を備えることを特徴とする充電サービス予約方法。
【発明の詳細な説明】
【技術分野】
【０００１】
この発明は、例えば電気自動車などのバッテリー駆動装置の充電サービスの予約システムおよび予約方法に関する。より詳細には、充電サービスを確実に受けられるようにする予約システムおよび方法を提供できるようにする発明に関する。
【背景技術】
【０００２】
バッテリーを動力源としてモータを駆動して走行する電気自動車が登場してきている。この明細書においては、電気自動車には、モータのみでなく、内燃機関（エンジン）をも搭載し、予めバッテリーに充電しておくことで、バッテリー容量内ではモータのみにより走行し、それ以上は、ハイブリッドカーとして、バッテリーを充電しながら内燃機関により走行するプラグインハイブリッドカーも含まれる。
【０００３】
電気自動車のバッテリー（車載電池）としては二次電池が用いられ、バッテリーは充電しておく必要がある。このバッテリーの充電を一般家庭用電源で充電する場合には、満充電までに５〜１４時間もかかる。そこで、電力料金が割安な夜間電力を利用するため、充電を夜間において行うように時間予約することができる機能を有するコントローラを用いることが、特許文献１（特開２０１０−１４２０２６号公報）に開示されている。
【０００４】
一方、専用の充電装置により急速充電を行うようにすれば、満充電までの時間は、中容量の充電装置を用いる場合には３０分〜１時間、大容量の充電装置を用いる場合には１５分〜３０分、というように比較的短時間とすることができる。この急速充電装置を用いた電気自動車の充電サービスが考えられている。例えば、駐車場運営会社による充電サービスとして、駐車場に急速充電装置を備えておき、駐車している間にバッテリーの充電を行えるようにするサービスがある（非特許文献１参照）。
【先行技術文献】
【特許文献】
【０００５】
【特許文献１】特開２０１０−１４２０２６号公報
【非特許文献】
【０００６】
【非特許文献１】http://times-info.net/map/info/service.html
【発明の概要】
【発明が解決しようとする課題】
【０００７】
上述の非特許文献１に記載のような充電サービスを、例えばパチンコ店などの遊技場、遊園地、映画館、劇場、大型商業施設などの駐車場を持つサービス提供施設で提供することが考えられる。その場合、充電サービスの提供を受けようとする利用者は、そのサービス提供施設に行けば充電サービスを受けられることを期待して、当該サービス提供施設を訪問することが予想される。
【０００８】
しかし、一般的には、コストの問題とスペースの問題から、電気自動車についての充電サービスを提供する急速充電装置の台数および充電用駐車スペースの数には制限がある。そのため、充電サービスを受けられることを期待して、サービス提供施設に出向いたが、充電用駐車スペースに空きが無く、充電サービスを受けることができない状態となることがある。このような問題は、電気自動車に限らず、バッテリーで駆動するバッテリー駆動装置について充電サービスを受けようとした場合の全てに当てはまる。
【０００９】
この発明は、以上の問題点にかんがみ、充電サービスを提供する施設に出向いたときに、確実に充電サービスを受けることができるようにすることを目的とする。
【課題を解決するための手段】
【００１０】
上記の課題を解決するために、請求項１の発明は、
充電スペースに置かれた、バッテリーで駆動されるバッテリー駆動装置の前記バッテリーを充電するための充電装置と、
前記バッテリー駆動装置の前記充電スペースを確保するために、前記充電スペースに対して設けられる充電スペース確保装置と、
前記充電装置による前記バッテリー駆動装置の充電を予約するための予約用装置と、
前記充電スペース確保装置および予約用装置と通信路を通じて接続される制御装置と
を備える充電サービス予約システムであって、
前記充電スペース確保装置は、
第１の利用識別情報の入力を受け付ける第１の受付手段と、
前記第１の受付手段で受け付けた前記第１の利用識別情報に基づく前記バッテリー駆動装置の前記充電スペースへの入場要求を、前記制御装置から受信した制御信号に基づき許可制御する入場制御機構と
を備え、
前記予約用装置は、
前記制御装置に対して第２の利用識別情報に関連付けられている充電予約要求を送信する予約要求手段
を備え、
前記制御装置は、
前記充電装置による前記充電スペースにおける前記バッテリー駆動装置の充電サービスの利用状況を管理する充電管理手段と、
前記予約用装置からの充電予約要求を受け付け、前記充電管理手段での前記充電サービスの利用状況に基づき、前記充電サービスの利用中ではない前記充電スペースまたは充電スペース確保装置を検知して、前記充電予約要求をしてきた前記予約用装置に通知すると共に、前記検知された充電スペースまたは充電スペース確保装置と前記第２の利用識別情報とを対応付けて記憶する充電予約処理手段と、
前記第１の利用識別情報と、前記記憶されている前記第２の利用識別情報とが一致しているときに、前記充電スペースへの前記バッテリー駆動装置の入場を許可するようにする制御信号を、前記充電スペース確保装置に送る手段と、
を備えることを特徴とする充電サービス予約システムを提供する。
【００１１】
上述の構成の請求項１の発明の充電サービス予約システムにおいては、バッテリー駆動装置を充電装置で充電するための充電スペースを確保するための充電スペース確保装置と制御装置とが通信路を通じて接続されていると共に、充電の予約をするための予約用装置と制御装置とが通信路を通じて接続されている。
【００１２】
充電スペース確保装置は、第１の受付手段で受け付けた第１の利用識別情報を、充電スペースへのバッテリー駆動装置の入場要求として受け取る。そして、充電スペース確保装置は、制御装置から受信した制御信号に基づき、その入場要求された充電スペースへのバッテリー駆動装置の入場を許可制御する。充電スペースへのバッテリー駆動装置の入場が許可されたときには、充電装置での充電が許可されたことになる。
【００１３】
制御装置は、充電管理手段で、充電スペースにおけるバッテリー駆動装置についての充電サービスの利用状況を管理している。したがって、充電管理手段では、充電スペースの空き状況も管理している。
【００１４】
予約用装置は、制御装置に対して第２の利用識別情報に関連付けられている充電予約要求を送信する。制御装置の充電予約処理手段は、予約用装置からの充電予約要求を受けると、充電管理手段での充電サービスの利用状況に基づき、充電サービスの利用中ではない充電スペースまたは充電スペース確保装置を検知し、検知された充電サービスまたは充電スペース確保装置と第２の利用識別情報とを対応付けて記憶手段に記憶する。
【００１５】
そして、制御装置の充電予約処理手段は、予約用装置からの充電予約要求に応じて、充電サービスの利用中ではない充電スペースまたは充電スペース確保装置を検知したときに、当該利用中ではない充電スペースまたは充電スペース確保装置を、充電予約要求をしてきた予約用装置に通知する。
【００１６】
この通知を受けた予約用装置の利用者は、例えば、当該充電サービスを提供している施設に出向き、充電スペース確保装置の第１の受付手段で、前記第２の利用識別情報を、前記第１の利用識別情報として受け付けさせるようにする。
【００１７】
一方、制御装置は、第１の利用識別情報と、第２の利用識別情報とが一致しているときに、充電スペースへのバッテリー駆動装置の入場を許可するようにする制御信号を、充電スペース確保装置に送る。
【００１８】
したがって、この第１の受付手段で受け付けた第１の利用識別情報が第２の利用識別情報と一致しているとき、充電スペース確保装置は、制御装置からの制御信号に基づき、バッテリー駆動装置の入場を許可する。
【００１９】
これにより、予約用装置を通じて充電サービスの予約をした者は、充電サービス確保種により確保されている充電スペースにバッテリー駆動装置を入場させることができて、充電サービスを受けることができる。
【００２０】
また、請求項２の発明は、請求項１に記載の充電サービス予約システムにおいて、
前記制御装置は、
前記予約用装置からの充電予約要求を受信したときに、前記充電サービスの利用中でない前記充電スペースを検知できないときには、前記充電予約要求を前記第２の利用識別情報に対応付けて記憶して受け付けておき、その後、前記充電サービスの利用中でない前記充電スペースまたは充電スペース確保装置を検知できたときに、前記検知された前記充電スペースまたは充電スペース確保装置と前記第２の利用識別情報とを前記充電予約要求に対応付けて記憶して管理するようにすると共に、前記検知された前記充電スペースまたは充電スペース確保装置を前記予約用装置を通じて前記充電予約要求をした利用者に通知する
ことを特徴とする。
【００２１】
この請求項２の発明によれば、充電予約要求したときに、空いている充電スペースが無いときには、充電予約処理手段において当該充電予約要求を、いわゆる待ち行列として受け付けておき、空きとなった充電スペースまたは充電スペース確保装置が検知できたときに、検知された前記充電スペースまたは充電スペース確保装置が前記予約用装置を通じて前記充電予約要求をした利用者に通知される。
【００２２】
したがって、利用者は、充電サービスを提供する施設に出向いたときに、充電予約要求をすることにより、確実に充電サービスを受けることができる。
【発明の効果】
【００２３】
この発明によれば、利用者は、充電サービスを提供する施設に出向いたときに、充電予約要求をすることにより、確実に充電サービスを受けることができる。
【図面の簡単な説明】
【００２４】
【図１】この発明による充電サービス予約システムの第１の実施形態の全体構成例を示す図である。
【図２】この発明の第１の実施形態における駐車スペース確保装置および充電装置の外観構成例を示す図である。
【図３】この発明の第１の実施形態における駐車スペース確保装置の内部回路構成例を示すブロック図である。
【図４】この発明の第１の実施形態における充電装置の内部回路構成例を示すブロック図である。
【図５】この発明の第１の実施形態におけるパチンコ台ユニットの内部回路構成例を示すブロック図である。
【図６】この発明の第１の実施形態における制御装置の内部回路構成例を示すブロック図である。
【図７】図６の例の制御装置で管理される充電装置管理テーブルの一例を示す図である。
【図８】図６の例の制御装置で管理される充電予約管理テーブルの一例を示す図である。
【図９】この発明の第１の実施形態の充電管理システムにおける処理動作シーケンス例を示す図である。
【図１０】この発明の第１の実施形態の充電管理システムにおける処理動作シーケンス例を示す図である。
【図１１】この発明の第１の実施形態の充電管理システムにおける処理動作シーケンス例を示す図である。
【図１２】この発明の第１の実施形態の充電管理システムにおける処理動作シーケンス例を示す図である。
【図１３】この発明の第１の実施形態における駐車スペース確保装置が実行する処理動作例を説明するためのフローチャートの一部を示す図である。
【図１４】この発明の第１の実施形態における駐車スペース確保装置が実行する処理動作例を説明するためのフローチャートの一部を示す図である。
【図１５】この発明の第１の実施形態における充電装置が実行する処理動作例を説明するためのフローチャートの一部を示す図である。
【図１６】この発明の第１の実施形態における充電装置が実行する処理動作例を説明するためのフローチャートの一部を示す図である。
【図１７】この発明の第１の実施形態におけるパチンコ台ユニットが実行する処理動作例を説明するためのフローチャートの一部を示す図である。
【図１８】この発明の第１の実施形態におけるパチンコ台ユニットが実行する処理動作例を説明するためのフローチャートの一部を示す図である。
【図１９】この発明の第１の実施形態における制御装置が実行する処理動作例を説明するためのフローチャートの一部を示す図である。
【図２０】この発明の第１の実施形態における制御装置が実行する処理動作例を説明するためのフローチャートの一部を示す図である。
【図２１】この発明の第１の実施形態における制御装置が実行する処理動作例を説明するためのフローチャートの一部を示す図である。
【図２２】この発明の第１の実施形態における制御装置が実行する処理動作例を説明するためのフローチャートの一部を示す図である。
【図２３】この発明の第１の実施形態における制御装置が実行する処理動作例を説明するためのフローチャートの一部を示す図である。
【図２４】この発明の第１の実施形態における制御装置が実行する処理動作例を説明するためのフローチャートの一部を示す図である。
【図２５】この発明の第１の実施形態における制御装置が実行する処理動作例を説明するためのフローチャートの一部を示す図である。
【図２６】この発明の第１の実施形態における制御装置が実行する処理動作例を説明するためのフローチャートの一部を示す図である。
【図２７】この発明の第１の実施形態における制御装置が実行する処理動作例を説明するためのフローチャートの一部を示す図である。
【図２８】この発明の第１の実施形態における制御装置が実行する処理動作例を説明するためのフローチャートの一部を示す図である。
【図２９】この発明の第１の実施形態における制御装置が実行する処理動作例を説明するためのフローチャートの一部を示す図である。
【図３０】この発明の第１の実施形態における制御装置が実行する処理動作例を説明するためのフローチャートの一部を示す図である。
【図３１】この発明の第１の実施形態における制御装置が実行する処理動作例を説明するためのフローチャートの一部を示す図である。
【図３２】この発明の第１の実施形態における制御装置が実行する処理動作例を説明するためのフローチャートの一部を示す図である。
【図３３】この発明の第１の実施形態における制御装置が実行する処理動作例を説明するためのフローチャートの一部を示す図である。
【図３４】この発明の第１の実施形態における制御装置が実行する処理動作例を説明するためのフローチャートの一部を示す図である。
【図３５】この発明による充電サービス予約システムの第２の実施形態の全体構成例を示す図である。
【図３６】この発明の第２の実施形態における充電装置の内部回路構成例を示すブロック図である。
【図３７】この発明の第２の実施形態における制御装置で管理される充電装置管理テーブルの一例を示す図である。
【図３８】この発明の第２の実施形態における制御装置で管理される充電予約管理テーブルの一例を示す図である。
【図３９】この発明の第２の実施形態における充電装置が実行する処理動作例を説明するためのフローチャートの一部を示す図である。
【図４０】この発明の第２の実施形態における充電装置が実行する処理動作例を説明するためのフローチャートの一部を示す図である。
【図４１】この発明の第２の実施形態における制御装置が実行する処理動作例を説明するためのフローチャートの一部を示す図である。
【図４２】この発明の第２の実施形態における制御装置が実行する処理動作例を説明するためのフローチャートの一部を示す図である。
【図４３】この発明の第２の実施形態における制御装置が実行する処理動作例を説明するためのフローチャートの一部を示す図である。
【発明を実施するための形態】
【００２５】
以下、この発明による充電サービス予約システムの第１の実施形態を、図を参照しながら説明する。この第１の実施形態は、充電サービス予約システムが、施設の例としてのパチンコ店に設置される場合の例であり、施設装置は、遊技機の例としてのパチンコ台に設けられる電子装置（以下、パチンコ台ユニットという）である。また、バッテリー駆動装置は、以下の実施形態においては、電気自動車である場合である。したがって、充電スペース確保装置は、電気自動車用の駐車スペースを確保する駐車スペース確保装置の構成である。また、この第１の実施形態は、通信手段たとえば携帯電話端末と、施設装置の例であるパチンコ台ユニットとの両方が予約用装置として利用可能な場合の例である。
【００２６】
そして、この第１の実施形態においては、パチンコ店は、会員登録をした顧客に対しては、例えばＩＣ（Integrated  Circuit；集積回路）カードからなり、少なくとも会員を一意に識別するための会員識別情報（以下、会員ＩＤという）を記憶保持する会員カードを発行する。会員は、この会員カードをパチンコ台ユニットに挿入することにより、遊技（パチンコゲーム）を行えると共に、種々のプレミアを享受することができる。この第１の実施形態の充電サービス予約システムで提供する充電サービスおよび充電予約サービスは、会員に付与するプレミアの一つであるとされている。
【００２７】
すなわち、この第１の実施形態においては、会員識別情報を利用識別情報と用いることにより、会員は、充電サービスおよび充電予約サービスの提供を享受することができる。そして、この例においては、充電サービスは基本的には有料とされ、充電料金＝時間単価×充電時間とされる。しかし、会員は、パチンコ台において実際に遊技をした時間に応じた遊技ポイントを取得することができ、その遊技ポイントが会員カードに蓄積される。そして、この第１の実施形態では、会員カードに蓄積された遊技ポイントを、電気自動車の充電料金に充当することができる。ただし、この実施形態では、会員カードに蓄積された遊技ポイントでは、充電サービスを受けた充電時間に対する充電料金を充当できないときには、充当できない残りの充電料金を現金で支払うように構成されている。
【００２８】
なお、会員カードは、例えば電磁誘導により非接触でカードリーダ・ライタと通信をして、情報の読み書きが可能に構成されている。そして、この実施形態では、上述したパチンコ台のように、会員カードをカード挿入口から挿入することにより、会員カードと内部に設けられているカードリーダ・ライタとが通信して情報の読み書きがなされる場合のみではなく、会員が、会員カードを単にかざす操作をするだけで、カードリーダ・ライタと非接触通信を行い得るようにする構成される場合もある。
【００２９】
なお、会員登録をしていない顧客は、パチンコ店からビジターカードの貸与を受け、当該ビジターカードをパチンコ台ユニットに挿入することによりパチンコ台において遊技を行うことができるが、会員に付与されるプレミアは、会員と同様には享受できない。
【００３０】
［第１の実施形態の充電サービス予約システムの概要；図１］
図１は、この第１の実施形態の充電サービス予約システムの全体の構成例の概要を示すものであり、この例では複数台の充電装置１１〜１ｎ（ｎは２以上の整数）と、１台の制御装置２と、複数台のパチンコ台３１〜３ｍ（ｍは２以上の整数）と、複数個の駐車スペース確保装置４１〜４ｎとを備える。
【００３１】
複数台の充電装置１１〜１ｎと制御装置２とは、この例においては、無線ＬＡＮ（Local  Area  Network）５を通じて接続され、充電装置１１〜１ｎの各々と制御装置２との間において後述するような通知情報や制御情報の無線通信が行われる。また、複数台の駐車スペース確保装置４１〜４ｎと制御装置２とも無線ＬＡＮ５を通じて接続され、各駐車スペース確保装置４１〜４ｎの各々と制御装置２との間において後述するような通知情報や制御情報の無線通信が行われる。なお、複数台の充電装置１１〜１ｎおよび複数台の駐車スペース確保装置４１〜４ｎと制御装置２との間は、無線ＬＡＮ５ではなく、有線ＬＡＮにより接続するようにしても良い。
【００３２】
制御装置２と、複数台のパチンコ台３１〜３ｍとの間は、この例では、有線ＬＡＮ６を通じて接続され、各パチンコ台３１〜３ｍの各々と制御装置２との間において後述するような通知情報や制御情報の通信が行われる。なお、制御装置２と複数台のパチンコ台３１〜３ｍとの間は、有線ＬＡＮ６ではなく、無線ＬＡＮにより接続するようにしても良い。
【００３３】
また、この実施形態の充電サービス予約システムでは、制御装置２は、携帯電話網や公衆電話網等からなる通信ネットワーク７を通じて携帯電話端末８や、図示を省略する例えばパーソナルコンピュータなどの通信機能を備える装置と通信を行うことが可能とされている。
【００３４】
充電装置１１〜１ｎのそれぞれは、この例では、１台分の車両の駐車スペース９１〜９ｎ毎に設置されている。そして、各１台分の車両の駐車スペース９１〜９ｎのそれぞれに対して駐車スペース確保装置４１〜４ｎのそれぞれが設けられている。したがって、各充電装置１１〜１ｎと各駐車スペース確保装置４１〜４ｎとの対応関係は各駐車スペース９１〜９ｎを媒介として１対１に対応するものとなる。以下の説明においては、充電装置１１〜１ｎと各駐車スペース確保装置４１〜４ｎとは、同じサフィックスのものが、対応する同じサフィックスの駐車スペース５１〜５ｎに設けられているものとする。
【００３５】
なお、この第１の実施形態においては、制御装置２には、各充電装置１１〜１ｎと各駐車スペース確保装置４１〜４ｎとの対応関係は、それらの各装置ＩＤが用いられて予め記憶されている。
【００３６】
複数台の充電装置１１〜１ｎおよび駐車スペース確保装置４１〜４ｎのそれぞれは、同一の構成を備えるので、以下の説明において、それぞれの充電装置および駐車スペース確保装置の構成を説明するとき、また、複数台の充電装置および駐車スペース確保装置を分けて説明する必要が無いときには、充電装置１、駐車スペース確保装置４と記載するものとする。そして、充電装置１が備える構成要素については、複数の充電装置１１〜１ｎで同じ参照番号を付与するものとし、また、駐車スペース確保装置４が備える構成要素については、複数の駐車スペース確保装置４１〜４ｎで同じ参照番号を付与するものとする。また、同様に、駐車スペース９１〜９ｎのそれぞれを分けて説明する必要が無いときには、駐車スペース９と記載する。
【００３７】
図２に、各１台の車両についての充電装置１と駐車スペース確保装置４とからなる構成例を示す。駐車スペース確保装置４は、この例においては、車両進入制御バー４１と、この車両進入制御バー４１を開閉駆動制御するバー開閉駆動制御機構４２とを備える。
【００３８】
車両進入制御バー４１は、バー開閉駆動制御機構４２に対して、図２に示すように、バー開閉駆動制御機構４２側を回動支点として、大地に対して垂直方向に回動可能に取り付けられている。そして、バー開閉駆動制御機構４２は、駐車スペース確保装置４の内部回路で生成される開閉駆動信号に基づいて、車両進入制御バー４１を大地に対して垂直方向に回動駆動して開閉制御する。
【００３９】
なお、図示は省略したが、バー開閉駆動制御機構４２は、車両進入制御バー４１を垂直の状態に回動させた後、車両が駐車スペース９に進入したかどうかを、例えば光センサなどの近接センサ（図示せず）により検知する。そして、車両が駐車スペース９に進入したことを確認すると、バーク開閉駆動制御機構４２は、車両進入制御バー４１を水平の状態に回動復帰させる。
【００４０】
パチンコ台ユニット３２は、カード挿入口３３に会員カードが挿入されたときに、その内部に設けられているカードリーダ・ライタにより当該会員カードに記録されている会員ＩＤを含む会員情報を読み出し、制御装置２に送信する機能を備える。
【００４１】
また、駐車スペース確保装置４は、会員カードが挿入口（図示は省略）から挿入されたとき、電磁誘導により非接触通信を行うカードリーダ・ライタ４３を内部に備えると共に、制御装置２と例えば無線ＬＡＮ５を通じて通信する機能を備えている。カードリーダ・ライタ４３は、会員カードから会員ＩＤを取得する機能を備える。カードリーダ・ライタ４３で会員カードから取得された会員ＩＤは、請求項１における第１の利用識別情報の例である。したがって、カードリーダ・ライタ４３は、請求項１における第１の利用識別情報の第１の受付手段の例を構成する。
【００４２】
また、図２に示すように、充電装置１は、充電のための案内メッセージを表示したり、充電状況などを表示したりするための表示部、この例ではＬＣＤ（Liquid  Crystal  Display）１１を備える。また、この例では、充電装置１も、会員カードと非接触通信を行って会員カードのＩＣに書き込まれている情報を読み取ったり、必要な情報を会員カードＩＣに書き込んだりしたりする非接触式のカードリーダ・ライタ１２を備える。
【００４３】
さらに、充電装置１は、接続ケーブル１３の先端に充電プラグ１４を備える。利用者が充電プラグ１４を電気自動車の充電用コネクタに接続することで、充電装置１は、当該電気自動車のバッテリーに対する充電を行うことができる状態になる。ただし、この例では、充電プラグ１４を電気自動車の充電用コネクタに接続して、充電装置１の操作ボタンを操作しても、充電の開始、停止などの制御はできないように構成されている。すなわち、この実施形態では、後述するように、充電装置１は、制御装置２からの充電開始指示、充電停止指示などの指示情報を受信したときに、その制御装置２からの指示に応じて、充電開始、充電停止、などの制御を実行するように構成されている。
【００４４】
＜駐車スペース確保装置４の内部回路のハードウエア構成例；図３＞
図３に、駐車スペース確保装置４の内部ハードウエア構成例を示す。この例の駐車スペース確保装置４は、マイクロコンピュータで構成される制御部４０１を備える。そして、駐車スペース確保装置４においては、制御部４０１が、システムバス４００を通じて、カードリーダ・ライタ４３、無線ＬＡＮインターフェース４０２、受信信号処理部４０３、送信信号生成部４０４、装置ＩＤ記憶部４０５、現金受領機構４０６、開閉駆動信号生成部４０７、のそれぞれと接続されている。
【００４５】
開閉駆動信号生成部４０７は、バー開閉駆動制御機構４２に接続されている。この開閉駆動信号生成部４０７は、制御部４０１の制御にしたがって、バー開閉駆動制御機構４２のバー開閉駆動信号を生成する。
【００４６】
無線ＬＡＮインターフェース４０２は、無線ＬＡＮ５を通じて駐車スペース確保装置４と制御装置２との間で通信を行うためのものである。この無線ＬＡＮインターフェース４０２は、制御装置２からの受信信号を受信すると、その受信情報を受信信号解析部４０３に送る。
【００４７】
受信信号解析部４０３は、制御装置２からの受信信号を解析して、後述するように、駐車スペース９への進入許可通知、進入不許可通知、会員カードへのポイント書き込み通知などの通知情報を判別し、その判別結果をシステムバス４００を通じて制御部４０１に伝達する。制御部４０１は、その判別結果に応じて、開閉駆動信号生成部４０７にバー開閉駆動信号を生成させたり、カードリーダ・ライタ４３や現金受領機構４０６を制御したりする。
【００４８】
また、無線ＬＡＮインターフェース４０２は、送信信号生成部４０４で生成された送信信号を制御装置２に無線送信する。送信信号生成部４０４は、制御部４０１の制御の基に以下のような送信信号を生成する。送信信号生成部４０４は、当該送信信号の生成の際には、常に、装置ＩＤ記憶部４０５に記憶されている自装置の装置ＩＤを、各送信信号に含める。
【００４９】
この実施形態では、会員により会員カードが駐車スペース確保装置４に挿入されると、その内部のカードリーダ・ライタ４３により会員カードに記憶されている会員ＩＤが読み込まれる。制御部４０１は、送信信号生成部４０４において、読み込んだ会員ＩＤと、装置ＩＤ記憶部４０５から読み出した自装置ＩＤとを含む駐車スペース進入要求を生成させ、無線ＬＡＮインターフェース４０２を通じ、無線ＬＡＮ５を通じて制御装置２に送信させる。
【００５０】
制御装置２は、後述するように、駐車スペース確保装置４からの駐車スペース進入要求を受信すると、それに含まれる会員ＩＤに基づき、正当な会員であるか、また、後述する予め充電の予約をした会員の会員ＩＤであるかを判断し、その判断結果に応じて、駐車スペース９への進入許可通知または進入不許可通知を、無線ＬＡＮ５を通じて駐車スペース確保装置４に返してくる。
【００５１】
そこで、駐車スペース確保装置４の制御部４０１は、制御装置２からの前記通知を受信して受信信号解析部４０４で解析させ、その解析結果が進入許可であると判別したときには、開閉駆動信号生成部４０７に、バー開閉駆動制御機構４２のバー開閉駆動信号を生成させる。このバー開閉駆動信号によりバー開閉駆動制御機構４２は、車両進入制御バー４１を垂直位置まで回動させ、駐車スペース９への車両の進入を許可する状態とする。そして、バー開閉駆動制御機構４２は、車両の駐車スペース９への進入を確認すると、バー開閉駆動信号に基づき車両進入制御バー４１を元の水平位置まで戻すように回動させる。
【００５２】
また、制御部４０１は、受信信号解析部４０３での解析の結果、進入不許可であると判別したときには、開閉駆動信号生成部４０７に、バー開閉駆動制御機構４２のバー開閉駆動信号を生成させない。この結果、バー開閉駆動制御機構４２は駆動されない。この場合、例えば図示を省略したスピーカから、「予約会員以外は利用できません」などの音声メッセージを報知するようにするとよい。
【００５３】
そして、車両が駐車スペース９にあるときに、会員が、再度、駐車スペース確保装置４に会員カードを挿入すると、車両進入時と同様にして、駐車スペース確保装置４は、カードリーダ・ライタ４３で読み込んだ会員ＩＤを含む駐車スペース退出要求を制御装置２に送る。制御装置２は、この駐車スペース退出要求を受信すると、それに含まれる会員ＩＤを用いて会員認証を行い、その会員認証結果を駐車スペース確保装置４に返す。駐車スペース確保装置４は、受信した会員認証結果に基づいて、車両進入制御バー４１を開閉制御する。これにより、会員は、車両を駐車スペースから移動させることができる。
【００５４】
現金受領機構４０６は、前述したように、会員カードに蓄積された遊技ポイントでは、充電料金を充当できないときに、会員からの現金の支払いを受け付けるためのものである。
【００５５】
＜充電装置１の内蔵電子回路のハードウエア構成例；図４＞
図４は、充電装置１の内蔵電子回路のハードウエア構成例を示すブロック図である。充電装置１は、マイクロコンピュータで構成される制御部１０１を備える。そして、充電装置１においては、制御部１０１が、システムバス１００を通じて、充電回路部１０２、充電プラグ接続検出部１０３、充電状況判断部１０４、無線ＬＡＮインターフェース１０５、受信信号解析部１０６、送信信号生成部１０７、充電装置ＩＤ記憶部１０８、ディスプレイインターフェース１０９およびカードリーダ・ライタ１２、のそれぞれと接続されている。ディスプレイインターフェース１０９には、ＬＣＤ１１が接続される。
【００５６】
充電回路部１０２の入力端は、電源ラインに接続され、また、充電回路部１０２の出力端は、接続ケーブル１３を通じて充電プラグ１４に接続されている。充電回路部１０２は、制御部１０１からの制御信号により、その動作が制御される。そして、充電回路部１０２は、制御部１０１からの制御信号により動作状態にされると、電源ラインからの交流電流を電気自動車用の所定の直流電流（充電電流）に変換して、その充電電流を接続ケーブル１３を通じて充電プラグ１４に供給する。また、充電回路部１０２は、制御部１０１からの制御信号により非動作状態にされると、充電電流を充電プラグ１４に出力しない状態に制御される。充電プラグ１４が電気自動車の充電用コネクタに接続されていないときには、充電回路部１０２は非動作状態とされる。
【００５７】
充電プラグ接続検出部１０３は、充電プラグ１４が電気自動車の充電用コネクタに接続されたことを検出し、その検出信号をシステムバス１００を通じて制御部１０１に通知する。この例では、充電プラグ接続検出部１０３は、充電プラグ１４が電気自動車の充電用コネクタに接続されたとき、充電装置１と電気自動車との間で流れる電流を検出することにより、当該充電プラグ１４の充電用コネクタへの接続を検知する。なお、充電プラグ接続検出部１０３は、充電プラグ１４に、当該充電プラグ１４が電気自動車の充電用コネクタに接続されたときにオンとなる接続検出スイッチを設けておき、その接続検出スイッチの出力をシステムバス１００に送出する構成とするようにしても良い。
【００５８】
そして、この実施形態では、制御部１０１は、この充電プラグ接続検出部１０３で充電プラグ１４が電気自動車の充電用コネクタに接続中であることを検出しているときにのみ、充電回路部１０２の動作制御が可能となるように構成されている。
【００５９】
充電状況判断部１０４は、充電回路部１０２が動作状態となっているときの充電回路部１０２の出力電圧を監視することにより、充電プラグ１４が接続されている電気自動車のバッテリーの充電状況を判断する。そして、充電状況判断部１０４は、充電量３０％、充電量６０％、フル充電（充電完了）などの充電状況情報を、システムバス１００を通じて制御部１０１に通知する。
【００６０】
無線ＬＡＮインターフェース１０５は、無線ＬＡＮ５を通じて充電装置１と制御装置２との間で通信を行うためのものである。無線ＬＡＮインターフェース１０５は、制御装置２からの受信信号を受信すると、その受信情報を受信信号解析部１０６に送る。
【００６１】
受信信号解析部１０６は、制御装置２からの受信信号を解析して、後述するように、充電開始指示、充電停止指示、充電終了指示などの充電制御指示を判別し、判別結果をシステムバス１００を通じて制御部１０１に伝達する。制御部１０１は、その判別された指示に応じた充電制御処理を、充電回路部１０２に対して行う。
【００６２】
また、無線ＬＡＮインターフェース１０５は、送信信号生成部１０７で生成された送信信号を制御装置２に無線送信する。
【００６３】
送信信号生成部１０７は、制御部１０１の制御の基に後述するような種々の送信信号を生成する。送信信号生成部１０７は、当該送信信号の生成の際には、常に、充電装置ＩＤ記憶部１０８に記憶されている自装置の充電装置ＩＤを、各送信信号に含める。
【００６４】
この実施形態では、充電装置１の制御部１０１は、カードリーダ・ライタ１２で会員カードから会員ＩＤが読み込まれ、かつ、充電プラグ接続検出部１０３で充電プラグ１４の電気自動車の充電用コネクタへの接続が検知されたときには、当該会員ＩＤと自装置の充電装置ＩＤとを含めた充電要求通知を送信信号生成部１０７で生成させる。そして、制御部１０１は、送信信号生成部１０７で生成された充電要求通知を制御装置２に送るように無線ＬＡＮインターフェース１０５を制御する。
【００６５】
なお、カードリーダ・ライタ１２で会員カードから取得された会員ＩＤは、請求項４における第３の利用識別情報の例である。カードリーダ・ライタは、請求項４における第３の利用識別情報の第２の受付手段の例を構成する。
【００６６】
また、この実施形態では、制御部１０１は、充電状況判断部１０４の判断結果に基づく充電状況通知を送信信号生成部１０７で生成させるように制御する。そして、制御部１０１は、送信信号生成部１０７で生成された充電状況通知を制御装置２に送るように無線ＬＡＮインターフェース１０５を制御する。なお、充電状況通知は、充電中には、例えば所定時間毎に繰り返し生成して制御装置２に送るようにしても良い。また、例えば充電量が３０％、４０％、５０％というように所定の値になったときに、制御部１０１の制御に従って送信信号生成部１０７が充電状況通知を生成して、制御装置２に送るようにしても良い。
【００６７】
なお、図４の充電装置１の構成において、充電状況判断部１０４、受信信号解析部１０６、送信信号生成部１０７のそれぞれの処理機能は、制御部１０１を構成するマイクロコンピュータが、そのソフトウエアプログラムによる実行する機能として構成することもできる。
【００６８】
＜パチンコ台ユニット３２のハードウエア構成例；図５＞
次に、複数のパチンコ台３１〜３ｍのそれぞれは、パチンコ店の屋内に設置される。そして、各パチンコ台のパチンコ台ユニットは、この例においては、制御装置２に対して、有線ＬＡＮ６を通じて接続されている。なお、複数のパチンコ台３１〜３ｍのパチンコ台ユニットのそれぞれと制御装置２とは、有線ＬＡＮ６ではなく、無線ＬＡＮを通じて接続するようにしても良い。
【００６９】
複数のパチンコ第３１〜３ｍのそれぞれは、同一の構成を備えるので、以下の説明において、それぞれのパチンコ台の構成を説明するとき、また、複数のパチンコ台を分けて説明する必要が無いときには、パチンコ台３と記載するものとする。そして、パチンコ台３が備える構成要素については、複数のパチンコ台３１〜３ｍで同じ参照番号を付与するものとする。
【００７０】
図１に示すように、パチンコ台３は、遊技者の操作を受けてパチンコ玉をパチンコ台盤面に送出するハンドル３１を備えると共に、パチンコ台ユニット３２を備える。パチンコ台ユニット３２は、内部に後述するマイクロコンピュータを搭載する電子回路を備えると共に、カード挿入口３３と、表示部、この例ではＬＣＤ３４と、充電予約ボタン３５を外部に露呈させて備えている。
【００７１】
パチンコ台ユニット３２は、カード挿入口３３に会員カードが挿入されたときに、その内部に設けられているカードリーダ・ライタにより当該会員カードに記録されている会員ＩＤを含む会員情報を読み出し、制御装置２に送信する機能を備える。パチンコ台ユニット３２は、また、この実施形態では、充電予約ボタン３５の押下操作入力に応じて、制御装置２に充電予約要求を送る機能を有する。すなわち、この実施形態では、パチンコ台ユニット３２を通じて、充電予約をすることができる。
【００７２】
すなわち、この実施形態では、会員は、パチンコ台ユニット３２に会員カードを挿入した後、充電予約ボタン３５を押して充電予約操作をする。すると、パチンコ台ユニット３２は、後述するように、制御装置２に、カードリーダ・ライタから取り込んだ会員ＩＤを含めた充電予約要求を送信する。このパチンコ台ユニット３２からの充電予約要求に含まれる会員ＩＤは、請求項１における第２の利用識別情報の例を構成する。
【００７３】
制御装置２は、この充電予約要求を受け付けると、その受け付け順に、充電サービス待ち行列を生成し、充電用の駐車スペース９１〜９ｎのいずれかに空きが生じる毎に、前記充電サービス待ち行列の順番に従って、充電サービスを享受させるようにしている。
【００７４】
図５は、パチンコ台ユニット３２のハードウエア構成例を示すブロック図である。パチンコ台ユニット３２は、マイクロコンピュータで構成される制御部３０１を備える。そして、パチンコ台ユニット３２においては、制御部３０１が、システムバス３００を通じて、有線ＬＡＮインターフェース３０２、受信信号処理部３０３、送信信号生成部３０４、ユニットＩＤ記憶部３０５、玉流れ検出部３０６、カードリーダ・ライタ３０７、ディスプレイインターフェース３０８、操作入力インターフェース３０９、のそれぞれと接続されている。ディスプレイインターフェース３０８には、ＬＣＤ３４が接続される。
【００７５】
有線ＬＡＮインターフェース３０２は、パチンコ台ユニット３２と制御装置２との間で、有線ＬＡＮ６を通じて種々の情報の通信を行うためのものである。この有線ＬＡＮインターフェース３０２は、制御装置２からの受信信号を受信すると、その受信情報は受信信号処理部３０３に送る。
【００７６】
受信信号処理部３０３は、後述するように、制御装置２からの受信信号をデコードして、充電開始表示情報、充電停止表示情報、充電状況表示情報などを復元し、それらの表示情報をディスプレイインターフェース３０８に送る。ディスプレイインターフェース３０９８は、受信した表示情報をＬＣＤ３４に供給して対応する表示を行う。
【００７７】
送信信号生成部３０４は、制御部３０１の制御に基づき、前述した充電予約要求や、後述する会員カード挿入通知、遊技中情報、非遊技中情報を生成する。会員カード挿入通知は、会員カードがパチンコ台ユニット３２に挿入されたときに、制御装置２に送られるもので、カードリーダ・ライタで読み込む会員ＩＤと、当該パチンコ台ユニット３２のユニットＩＤを含む。この会員カード挿入通知に含まれる会員ＩＤは、請求項５における第４の利用識別情報の例を構成する。
【００７８】
ユニットＩＤ記憶部３０５は、自装置のユニットＩＤを記憶保持している。送信信号生成部３０４は、送信信号の生成の際には、常に、このユニットＩＤ記憶部３０５に記憶されている自ユニットＩＤを、各送信信号に含める。
【００７９】
玉流れ検出部３０６は、ユーザがハンドル３１を操作したことによりパチンコ玉がパチンコ台３の盤面に流れていることを、当該パチンコ玉の流れに応じた電気信号を検出することにより検出し、その検出結果をシステムバス３００に出力する。この玉流れ検出部３０６としては、例えば特開２００１−０４６５９２号公報に記載の「パチンコ玉検出装置」を用いることができる。玉流れ検出部３０６の構成は、上記の公報記載のものに限られるものではないことは言うまでもない。
【００８０】
そして、制御部３０１は、玉流れ検出部３０６の検出結果から、パチンコ玉がパチンコ台３の盤面に流れていると判別しているときには、送信信号生成部３０４に、ユーザが遊技中であることを示す遊技中情報を生成させる。そして、制御部３０１は、送信信号生成部３０４で生成させた遊技中情報を、有線ＬＡＮ６を通じて制御装置２に送信するように有線ＬＡＮインターフェース３０２を制御する。
【００８１】
また、制御部３０１は、玉流れ検出部３０６の検出結果から、逆に、パチンコ玉がパチンコ台３の盤面に流れていないことを検出したときには、送信信号生成部３０４でユーザが非遊技中であることを示す非遊技中情報を生成させる。そして、制御部３０１は、送信信号生成部３０４で生成させた非遊技中情報を制御装置２に送信するように有線ＬＡＮインターフェース３０２を制御する。
【００８２】
カードリーダ・ライタ３０７は、カード挿入口３３から挿入された会員カードと非接触通信を行って、当該会員カードのＩＣに記憶されている情報を読み取り、また、必要な情報を当該会員カードに書き込む機能を備える。
【００８３】
また、操作入力インターフェース３０９には、充電予約ボタン３５が接続され、その押下操作入力情報をシステムバス３００に送出する。制御部３０１は、この充電予約ボタン３５の押下操作入力情報を検知すると、送信信号生成部３０４に、充電予約要求を生成させる。そして、制御部３０１は、送信信号生成部３０４で生成させた充電予約要求を制御装置２に送信するように有線ＬＡＮインターフェース３０２を制御する。
【００８４】
なお、図３のパチンコ台ユニット３２の構成において、受信信号処理部３０３、送信信号生成部３０４のそれぞれの処理機能は、制御部３０１を構成するマイクロコンピュータが、そのソフトウエアプログラムによる実行する機能として構成することもできる。
【００８５】
＜通信ネットワーク７を通じた携帯電話端末８等からの充電予約要求＞
この実施形態では、制御装置２に対する充電予約要求は、通信ネットワーク７を通じて携帯電話端末８等の通信端末からも行えるように構成されている。これは、主として、パチンコ店に赴く前に、充電予約をすることを可能にするためのものである。
【００８６】
すなわち、この例においては、会員のそれぞれは、自分の携帯電話端末８から通信ネットワーク７を通じて制御装置２にアクセスし、入力した会員ＩＤを伴う充電予約要求を制御装置２に対して行えるように構成されている。制御装置２は、この通信ネットワーク７を通じた充電予約要求を受け付けるためのソフトウエア処理機能を備えている。この携帯電話端末８からの充電予約要求に含まれる会員ＩＤは、請求項１における第２の利用識別情報の例を構成する。
【００８７】
通信ネットワーク７を通じた充電予約要求は、携帯電話端末８に限られず、制御装置２に対して通信ネットワーク７を通じてアクセスすることができる通信端末であれば、パーソナルコンピュータやその他の情報通信端末であっても良い。ただし、携帯電話端末８を含め、それらの通信端末に対しては、会員は、充電予約要求をするためには、会員ＩＤおよび後述する予約設定通知を受け取るための電子メールアドレスを入力して、制御装置２に送る必要がある。この会員ＩＤや電子メールアドレスの入力は、充電予約要求をする毎に行っても良いし、予め通信装置のそれぞれに入力して登録して保持するようにしても良い。後者の場合には、会員が充電予約要求の操作をすると、通信端末が保持している会員ＩＤおよび電子メールアドレスを読み出して、充電予約要求を制御装置２に送るようにする。充電予約要求時の処理の詳細については、後で詳述する。
【００８８】
＜制御装置２のハードウエア構成例；図６＞
次に、制御装置２は、この例では、パーソナルコンピュータ（以下、パソコンと略称する）で構成され、パチンコ店の屋内に設置される。そして、制御装置２は、この実施形態の充電管理システムにおいて、駐車スペース確保装置４から送られてくる情報と、充電装置１から送られてくる情報と、パチンコ台ユニット３２から送られてくる情報とに基づいて、充電装置１に対する充電制御を司ると共に、パチンコ台ユニット３２に対する表示制御を司る。
【００８９】
また、制御装置２は、通信ネットワーク７を通じた携帯電話端末８などの通信端末や、パチンコ台ユニット３２からの充電予約要求を受け付けて、予約された充電サービスを実行するための制御を行う。したがって、この実施形態では、携帯電話端末８などの通信端末は、充電予約装置の例として構成される。また、この実施形態では、パチンコ台ユニット３２も、充電予約装置の機能を有するものとして構成されている。
【００９０】
図６は、制御装置２のハードウエア構成例を示すブロック図である。制御装置２は、ＣＰＵ（Central  Processing  Unit）とプログラムが格納されるＲＯＭ（Read  Only  Memory）とワークエリア用のＲＡＭ（Random  Access  Memory）とからなる制御部２０１に対して、システムバス２００を通じて、無線ＬＡＮインターフェース２０２、無線受信信号解析部２０３、充電制御指示生成部２０４、充電装置管理部２０５、有線ＬＡＮインターフェース２０６、有線受信信号解析部２０７、表示通知情報生成部２０８、会員登録情報管理部２０９、通信インターフェース２１０、充電予約処理部２１１、駐車スペース利用管理部２１２、遊技ポイント計測部２１３、のそれぞれと接続されている。
【００９１】
無線ＬＡＮインターフェース２０２は、無線ＬＡＮ５を通じて複数台の充電装置１および駐車スペース確保装置４との間で通信を行うためのものである。無線ＬＡＮインターフェース２０２は、充電装置１や駐車スペース確保装置４からの受信信号を受信すると、その受信情報を無線受信信号解析部２０３に送る。
【００９２】
無線受信信号解析部２０３は、各充電装置１からの受信信号を解析して、後述するように、充電要求通知、充電状況通知、充電完了通知、充電プラグ制御解除通知などを判別する。そして、無線受信信号解析部２０３は、充電要求通知を受信したと判別したときには、制御部２０１の制御に基づいて、充電装置ＩＤおよび会員ＩＤを含む当該充電要求通知を、充電装置管理部２０５に転送する。また、無線受信信号解析部２０３は、充電装置１から充電状況通知や充電完了通知を受信したと判別したときには、制御部２０１の制御に基づいて、それらを表示通知情報生成部２０８に転送する。さらに、無線受信信号解析部２０３は、充電装置１から充電プラグ接続解除通知を受信したと判別したときには、それを充電装置管理部２０５に転送する。
【００９３】
また、無線受信信号解析部２０３は、各駐車スペース確保装置４からの受信信号を解析し、駐車スペース進入要求、駐車スペース退出要求などを判別し、これら駐車スペース進入要求、駐車スペース退出要求などを、制御部２０１の制御に基づいて、駐車スペース利用管理部２１２に転送する。
【００９４】
充電制御指示生成部２０４は、制御部３０１の制御に基づき、充電装置１に送信する充電開始指示、充電停止指示などの充電制御指示を生成する。充電開始指示は、充電装置１からの充電要求通知の受信に基づき、制御部３０１の制御に従って充電制御指示生成部２０４で生成される。また、充電停止指示は、充電装置１からの充電完了通知の受信、また、充電完了通知を受ける前の充電装置１からの充電プラグ接続解除通知の受信に基づき、制御部３０１の制御に従って充電制御指示生成部２０４で生成される。
【００９５】
充電装置管理部２０５は、図示を省略する記憶部に充電装置管理テーブルを保持する。そして、充電装置管理部２０５は、充電装置１と、当該充電装置１が設置されている駐車スペースを確保する駐車スペース確保装置４との１対を、一つの充電サービス提供設備として充電サービス番号を付与して、充電装置管理テーブルにおいて、その充電サービス番号毎に、それぞれの充電装置に対する充電要求を登録して管理する。
【００９６】
そして、制御部２０１の制御の基に、充電装置管理部２０５は、登録した充電要求についての充電が完了したり、充電要求を維持できない状態を検知したりしたときには、登録した充電要求を充電装置管理テーブルから削除する。
【００９７】
図７に、充電装置管理テーブルの一例を示す。この充電装置管理テーブルは、各充電装置１１〜１ｎにおいて充電サービスが実施されているか否か、充電サービスが実施されている場合には、いずれの会員が充電サービスを受けているか、充電時間はどれくらいになっているか、充電サービスを受けている会員が利用しているパチンコ台ユニット３２はどれか、などを登録して管理するものである。
【００９８】
すなわち、この実施形態では、各充電装置１１〜１ｎに対して充電サービス番号が付与されており、充電装置管理テーブルには、それぞれの充電サービス番号に対して、各充電装置１１〜１ｎの充電装置ＩＤと、各充電装置１１〜１ｎに対応する各駐車スペース確保装置４１〜４ｎの装置ＩＤが予め登録されている。図７において、ＳＴ−１、ＳＴ−２、ＳＴ−３、・・・は、それぞれ充電装置ＩＤである。また、ＰＫ−１、ＰＫ−２、ＰＫ−３、・・・は、それぞれ駐車スペース確保装置４１、４２、４３、・・・の装置ＩＤである。
【００９９】
そして、図７の例では、充電装置管理テーブルにおいて、各充電装置１１〜１ｎに対する充電要求について、記憶されて管理される管理項目としては、「会員ＩＤ」と、「充電ステータス」と、「充電時間」と、「ユニットＩＤ」とが用意される。
【０１００】
管理項目のうち、「会員ＩＤ」は、駐車スペース確保装置４から駐車スペース進入要求が送られてきたときに、後述する会員認証や充電予約処理を経て、駐車スペース進入許可通知を、駐車スペース進入要求をしてきた駐車スペース確保装置４に返す際に、充電装置管理テーブルに登録される。
【０１０１】
「充電ステータス」は、「充電中」、「充電完了」、「空き」など、充電サービス設備である充電装置１での充電状態を表わすものである。前述したように、充電装置１から充電要求通知が到来すると、充電制御信号生成部２０４は、充電開始指示を生成して充電装置１に送るが、このとき充電要求通知の受信に基づき、充電装置管理部２０５は、「充電ステータス」を「充電中」にする。また、充電装置１から充電完了通知を受信すると、充電装置管理部２０５は、「充電ステータス」を「充電完了」にする。また、充電装置１から充電プラグ接続解除通知を受信したとき、充電装置管理部２０５は、「充電ステータス」を「空き」にする。
【０１０２】
「充電時間」は、充電装置１からの充電要求を受けて、充電を開始してからの経過時間である。前述したように、この実施形態では、充電サービスは基本的には有料とされ、充電料金＝時間単価×充電時間とされるので、この「充電時間」は、当該充電料金を計算するためのものである。この実施形態では、制御装置２は、図示は省略したが、充電装置１のそれぞれ毎の充電時間を計測するための充電時間タイマーを備える。充電時間タイマーは、充電装置ＩＤに対応付けて備える。この充電時間タイマーは、制御装置２が充電開始指示を充電装置１に送ると、時間計測を開始し、制御装置２が充電停止指示を充電装置１に送ると時間計測を停止（中断）する。
【０１０３】
「ユニットＩＤ」は、パチンコ台ユニット３２の識別情報であり、充電要求が発生した後、当該充電要求をした会員が、いずれのパチンコ台でパチンコ遊技をしているかを示すものとなる。図７の例において、ユニットＩＤは、パチンコ台番号に対応している。この実施形態では、充電要求された充電装置に接続された電気自動車の充電状況、例えば３０％、５０％などの充電量、充電完了などを、会員がパチンコ遊技をしているパチンコ台ユニット３２に通知し、その表示部であるＬＣＤ３４に表示させることで会員に通知する。
【０１０４】
なお、図７において、「充電ステータス」が「充電中」であるにも拘らず、ユニットＩＤが空欄であるがあるが、これは、会員がパチンコ台ユニット３２に会員カードを挿入しておらず、パチンコ遊技をしていないことを示している。
【０１０５】
有線ＬＡＮインターフェース２０６は、有線ＬＡＮ６を通じて複数個のパチンコ台ユニット３２と通信するためのものである。有線ＬＡＮインターフェース２０６は、パチンコ台ユニット３２からの受信信号を受信すると、その受信情報は有線受信信号解析部２０７に送る。また、有線ＬＡＮインターフェース２０６は、後述するように、表示通知情報生成部２０８で生成された表示通知情報を、有線ＬＡＮ６を通じてパチンコ台ユニット３２に送出する。
【０１０６】
有線受信信号解析部２０７は、パチンコ台ユニット３２からの受信信号を解析して、後述するように、カード挿入通知、遊技中情報、非遊技中情報、カード取出通知、充電予約要求などを判別し、その判別結果をシステムバス２００を通じて制御部２０１に通知する。有線受信信号解析部２０７は、制御部２０１の制御に基づいて、判別したカード挿入通知およびカード取出通知を充電装置管理部２０５に転送し、また、判別した遊技中情報および非遊技中情報を遊技ポイント計測部２１３に転送し、さらに、判別した充電予約要求は、充電予約処理部２１１に転送する。
【０１０７】
表示通知情報生成部２０８は、無線受信信号解析部２０３から充電装置１からの充電状況通知や充電完了通知の供給を受けたときには、制御部２０１の制御の基に、充電状況通知で伝達すべき充電状況の表示情報例えば「充電量３０％」などや、充電完了通知により伝達すべき「充電が完了しました」等の表示情報を生成する。そして、制御部２０１は、充電装置管理部２０５に指示して、表示通知情報生成部２０８で生成された表示情報を送るべきパチンコ台ユニット３２を判別させる。このパチンコ台ユニット３２の判別は、充電状況通知や充電完了通知を送ってきた充電装置からの充電要求についての管理項目「ユニットＩＤ」を参照することによりできる。そして、制御部２０１は、判別されたパチンコ台ユニット３２に、表示通知情報生成部２０８で生成された表示情報を有線ＬＡＮインターフェース２０６を通じ、有線ＬＡＮ６を通じて送信するように制御する。
【０１０８】
会員登録情報管理部２０９は、会員登録情報を記憶する記憶部（図示は省略）を備える。会員登録情報には、上述した会員ＩＤの他、会員氏名、住所、さらに、会員に対する連絡先として携帯電話端末の電話番号や電子メールアドレスなどが含まれる。また、この実施形態では、会員がパチンコ遊技を行った時間に応じたプレミアである遊技ポイントが会員登録情報に含まれる。会員カードのＩＣ内のメモリには、会員登録情報管理部２０９に登録されている会員登録情報と同様の会員登録情報が記憶されている。制御部２０１は、会員カードに記憶されている会員ＩＤと、会員登録情報管理部２０９に登録されている会員ＩＤとを照合することにより、会員カードの所有者が会員であるか否かを判断する。
【０１０９】
通信インターフェース２１０は、通信ネットワーク７に接続されている。制御装置２に通信ネットワーク７を通じた携帯電話端末８などの通信端末からの充電予約のためのアクセスが到来すると、この通信インターフェース２１０を通じて当該アクセスが受け付けられる。そして、受け付けられたアクセスは、充電予約処理部２１１において処理される。
【０１１０】
充電予約処理部２１１は、通信インターフェース２１０を通じて受け付けた充電予約のアクセスの処理を行って、充電予約登録および管理の処理をする。充電予約処理部２１１は、また、有線ＬＡＮインターフェース２０６を通じてパチンコ台ユニット３２から受け取った充電予約要求についての充電予約登録および管理の処理をも行う。
【０１１１】
充電予約処理部２１１は、通信インターフェース２１０を通じて充電予約のアクセスを受け付けたときには、まず、充電予約のアクセスをしてきたのが、会員であるかどうかの会員認証を、会員ＩＤに基づいて行う。そして、会員認証ができたときには、当該充電予約のアクセスに基づく、後述するような充電予約受付処理を実行し、受け付けた充電予約を充電予約管理テーブルに登録して管理する。
【０１１２】
また、充電予約処理部２１１は、有線ＬＡＮインターフェース２０６を通じたパチンコ台ユニット３２からの充電予約要求を受け付けたときには、その充電予約要求に含まれる会員ＩＤを用いて会員認証を行い、会員認証ができたときには、受け付けた充電予約を充電予約管理テーブルに登録して管理する。
【０１１３】
図８に充電予約管理テーブルの一例を示す。この充電予約管理テーブルには、制御装置２がアクセスを受け付けた順に充電予約が登録される。すなわち、充電予約処理部２１１は、充電予約のアクセスを受け取ると、図８に示すように、受け付けた充電予約に対して予約番号を付与し、この予約番号に対応付けて、充電予約をした会員の「会員ＩＤ」、電子メールアドレスを、それぞれ管理項目として、充電予約管理テーブルに登録する。予約番号は、予約順位を示すものとなっており、小さい番号ほど予約順位が早い。
【０１１４】
そして、充電予約処理部２１１は、充電予約要求を受け付けたときに、充電装置管理部２０５に充電装置１の空きがあるか否か、すなわち、充電サービスの利用中でない充電装置１があるか否かを問い合わせる。充電装置管理部２０５は、充電装置管理テーブルを参照して、充電装置１の空きが無ければその旨を充電予約処理部２１１に通知し、充電装置１の空きがあれば、当該空いている充電装置１の充電装置ＩＤおよび対応する駐車スペース確保装置４の装置ＩＤを充電予約処理部２１１に通知する。
【０１１５】
充電予約処理部２１１は、充電装置管理部２０５から空いている充電装置１の充電装置ＩＤおよび駐車スペース確保装置４の装置ＩＤを受けたときには、付与した予約番号についての管理項目「充電装置ＩＤ」および「駐車スペース確保装置ＩＤ」には、受け取ったそれぞれの装置ＩＤを登録すると共に、管理項目「予約遂行状況」に「予約設定済」を登録する。
【０１１６】
そして、充電予約処理部２１１は、制御部２０１の制御に従って、受け取った「駐車スペース確保装置ＩＤ」の駐車スペース確保装置４に、駐車スペース確保要求を送る。この駐車スペース確保要求を受け取った駐車スペース確保装置４は、駐車スペース確保要求に応じて、車両進入制御バー４１を、閉状態にロックする。
【０１１７】
この車両進入制御バー４１の閉状態のロックは、後述するように、制御装置２から指示により、充電予約した会員が当該駐車スペース確保装置４に会員カードをかざして、車両進入要求をしたときのみ、解除される。
【０１１８】
なお、この実施形態では、駐車スペース確保装置４は、車両進入制御バー４１はロックしなくても、制御装置２からの駐車スペース進入許可指示を受信しない限り、車両進入制御バー４１を開状態にはしないように制御できるので、制御装置２のみにおける予約管理の制御により、同様の効果を得ることができる。しかし、より確実に駐車スペースを確保するために、この例では、制御装置２は、駐車スペース確保装置４に駐車スペース確保要求を送り、予約した会員以外により、予約された駐車スペースが占拠されてしまうのを確実に防止する。
【０１１９】
また、充電予約処理部２１１は、充電予約要求に対して充電装置や駐車スペースが設定できたときには、充電予約要求してきた会員の充電予約装置に対して、充電予約設定した充電装置番号や駐車スペース番号などを含む予約設定通知を送る。この場合、充電予約装置は、充電予約要求を通信ネットワーク７を通じて受信した場合には、携帯電話端末８などの通信端末であり、充電予約要求を有線ＬＡＮインターフェース２０６を通じて受信した場合には、当該充電予約要求を送ってきたパチンコ台ユニット３２である。これら充電予約装置では、予約設定通知に含まれる充電装置番号や駐車スペース番号を、そのディスプレイ画面に表示するなどして、会員に予約設定された充電装置や駐車スペースを報知する。
【０１２０】
次に、充電予約処理部２１１は、充電装置管理部２０５から充電装置１の空きが無い旨の通知を受けたときには、管理項目「予約遂行状況」に「予約設定待ち」を登録すると共に、管理項目「充電装置ＩＤ」および「駐車スペース確保装置ＩＤ」には、「未設定」を登録する。すなわち、充電予約要求を受信したときに充電装置１の空きが無く、管理項目「予約遂行状況」に「予約設定待ち」が登録された充電予約は、予約番号順に予約設定待ちの状態になる。すなわち、予約番号は、充電待ち行列を構成するものとなる。
【０１２１】
そして、このときには、充電予約要求してきた会員の充電予約装置に対しては、充電装置１に空きがないため、「予約設定待ち」であることを通知する。
【０１２２】
制御装置２の充電装置管理部２０５は、充電装置１からの充電プラグ接続解除通知や駐車スペース確保装置４のバー駆動制御装置４２からの駐車スペース退出要求に基づいて充電装置１および駐車スペース９の空きを検知する。そして、充電装置管理部２０５は、充電予約処理部２１１に、その空きとなった充電装置の「充電装置ＩＤ」および駐車スペース確保装置の「駐車スペース確保装置ＩＤ」を通知する。
【０１２３】
充電予約処理部２１１は、この空き通知を受けると、充電予約管理テーブルを参照して、「予約遂行状況」が「予約設定待ち」となっている充電予約番号のうちで最も早い待ち順位の予約番号を判定する。そして、充電予約処理部２１１は、その判定した予約番号についての管理項目「充電装置ＩＤ」および「駐車スペース確保装置ＩＤ」には、受け取ったそれぞれの「充電装置ＩＤ」および「駐車スペース確保装置ＩＤ」を登録し、また、管理項目「予約遂行状況」を「予約設定待ち」から「予約設定済」に変更する。
【０１２４】
そして、充電予約処理部２１１は、その判定した充電予約要求をしてきた会員の充電予約装置（携帯電話端末８またはパチンコ台ユニット３２）に対して、充電予約設定した充電装置番号や駐車スペース番号などを含む予約設定通知を送る。
【０１２５】
充電予約処理部２１１は、後述するようにして、予約された充電が実行されると、充電予約管理テーブルの当該充電予約についての管理項目「予約遂行状況」を「予約設定済」から「予約実行」に変更する。
【０１２６】
さらに、予約した会員がパチンコ台ユニット３２に会員カードを挿入すると、当該パチンコ台ユニット３２は会員ＩＤ通知を制御装置２に送るが、制御装置２は、この会員ＩＤ通知を受け取ると、充電予約した会員が利用中のパチンコ台ユニット３２のユニットＩＤを、管理項目「ユニットＩＤ」に登録する。
【０１２７】
前述したように、パチンコ台ユニット３２から充電予約要求があったとき、制御装置２は、予約設定された充電装置１や駐車スペース９を、パチンコ台ユニット３２に通知し、その表示部であるＬＣＤ３４に表示させることで会員に通知する。この「ユニットＩＤ」は、会員がパチンコ遊技をしているパチンコ台ユニット３２を検知しておき、予約設定された充電装置１や駐車スペース９を通知する際に用いるために登録しておくものである。
【０１２８】
次に、駐車スペース利用管理部２１２は、無線受信信号解析部２０３からの駐車スペース進入要求および駐車スペース退出要求を受けて、以下のようにして、それらに対する許可通知または不許可通知を生成する。そして、生成した許可通知または不許可通知を、駐車スペース進入要求または駐車スペース退出要求を送ってきた駐車スペース確保装置４に、無線ＬＡＮインターフェース２０２を通じて送信する。
【０１２９】
駐車スペース利用管理部２１２は、無線受信信号解析部２０３からの駐車スペース進入要求を受けたときには、先ず、当該駐車スペース進入要求に含まれる会員ＩＤについて、会員登録情報管理部２０９に記憶されている会員ＩＤと照合することにより会員であるか否かの会員認証処理をする。
【０１３０】
この会員認証処理の結果、会員であることの認証が取れなかったときには、駐車スペース利用管理部２１２は、駐車スペース進入不許可通知を生成して、それを、駐車スペース進入要求を送ってきた駐車スペース確保装置４に無線ＬＡＮ５を通じて送る。
【０１３１】
また、会員認証処理の結果、会員であることの認証が取れたときには、駐車スペース利用管理部２１２は、充電予約処理部２１１に、駐車スペース進入要求に含まれている駐車スペース確保装置４の装置ＩＤに対する充電予約要求の有無について問い合わせる。
【０１３２】
充電予約処理部２１１は、この問い合わせに対して、該当する充電予約要求は無いと判別したときには、その旨を回答する。駐車スペース利用管理部２１２は、この充電予約要求は無いとの回答を受け取ると、会員認証ＯＫであることに基づき、駐車スペース進入許可通知を生成して、それを、駐車スペース進入要求を送ってきた駐車スペース確保装置４に無線ＬＡＮ５を通じて送る。すなわち、制御装置２の駐車スペース利用管理部２１２は、予約されていない駐車スペースの駐車スペース確保装置４からの駐車スペース進入要求を受信した場合には、会員ＩＤに基づく会員認証がＯＫであれば、駐車スペース進入許可通知をする。
【０１３３】
そして、充電予約処理部２１１は、駐車スペース進入要求に含まれる会員ＩＤおよび駐車スペース確保装置４の装置ＩＤを、充電装置管理部２０５に通知する。充電装置管理部２０５は、この通知を受けて、充電装置管理テーブルにおいて、駐車スペース確保装置４の装置ＩＤを管理項目として備える充電サービスについて会員ＩＤを登録する。そして、制御装置２は、その後、対応する充電装置１から送られてくる充電要求通知に基づき、その充電装置１に充電開始指示を送ることになる。
【０１３４】
また、充電予約処理部２１１は、駐車スペース利用管理部２１２からの問い合わせに対して、該当する充電予約要求があると判別したときには、その旨および当該充電予約要求をしてきた会員の会員ＩＤを駐車スペース利用管理部２１２に回答する。
【０１３５】
駐車スペース利用管理部２１２は、この充電予約処理部２１１からの回答を受け取ると、受け取った会員ＩＤと、駐車スペース進入要求に含まれていた会員ＩＤとを比較照合し、両者が一致しているか否か判別する。そして、駐車スペース利用管理部２１２は、両会員ＩＤが一致していないと判別したときには、充電予約をした会員以外の会員による駐車スペース進入要求であると判断して、駐車スペース進入不許可通知を生成する。そして、駐車スペース利用管理部２１２は、両会員ＩＤが一致していると判別したときには、充電予約をした会員による駐車スペース進入要求であると判断して、駐車スペース進入許可通知を生成する。そして、駐車スペース利用管理部２１２は、生成した駐車スペース進入不許可通知または駐車スペース進入許可通知を、駐車スペース進入要求を送ってきた駐車スペース確保装置４に無線ＬＡＮ５を通じて送る。
【０１３６】
すなわち、制御装置２の駐車スペース利用管理部２１２は、予約されていない駐車スペースの駐車スペース確保装置４からの駐車スペース進入要求を受信した場合には、会員ＩＤに基づく会員認証がＯＫであれば、駐車スペース進入許可通知をする。しかし、充電予約された駐車スペースに設けられている駐車スペース確保装置４からの駐車スペース進入要求については、制御装置２は、会員認証に加えて、当該駐車スペース確保装置４について充電予約管理テーブルに登録されている会員ＩＤと、駐車スペース進入要求に含まれている会員ＩＤとを比較し、一致しているか否か判別する。そして、制御装置２は、両会員ＩＤが一致しているときに、すなわち、充電予約した会員が会員カードを当該駐車スペース確保装置４にかざしていることを確認したときにのみ、当該駐車スペース確保装置４に対して駐車スペース進入許可通知を発行する。
【０１３７】
次に、遊技ポイント計測部２１３は、有線受信信号解析部２０７からの同じパチンコ台ユニット３２からの遊技中情報および非遊技中情報、さらに会員カード挿入通知および会員カード取出し通知を受けて、当該パチンコ台ユニット３２で遊技中の会員についての遊技ポイントの計測を行う。
【０１３８】
すなわち、遊技ポイント計測部２１３は、会員カード挿入通知後の最初の遊技中情報を受けると遊技中タイマーの時間計測を開始する。そして、遊技ポイント計測部２１３は、非遊技中情報を受信すると、遊技中タイマーの時間計測を中止する。また、会員カード挿入通知後の２度目以降の遊技中情報を受けると、遊技中タイマーの時間計測を再開する。そして、遊技ポイント計測部２１３は、会員カード取出通知を受けると、遊技中タイマーで計測された遊技中時間を、遊技ポイントに換算する。そして、遊技ポイント計測部２１３は、換算した遊技ポイントを、会員カード取出通知を送ってきたパチンコ台ユニット３２に送信して、当該遊技ポイントを会員カードに書き込ませるようにする。
【０１３９】
なお、図６の制御装置２の構成において、無線受信信号解析部２０３、充電制御指示生成部２０４、充電装置管理部２０５、有線受信信号解析部２０７、表示通知情報生成部２０８、充電予約処理部２１１、駐車スペース利用管理部２１２および遊技ポイント計測部２１３のそれぞれの処理機能は、制御部２０１を構成するマイクロコンピュータが、そのソフトウエアプログラムによる実行する機能として構成することもできる。
【０１４０】
［充電予約要求の処理シーケンス例１；図９］
次に、上述した構成の充電サービス予約システムにおいて、携帯電話端末８から制御装置２に対して通信ネットワーク７を通じて充電予約要求のアクセスを行い、当該アクセスの際に空きの充電装置が存在する場合のシーケンス例を、図９を参照しながら説明する。
【０１４１】
先ず、会員は、携帯電話端末８を用いて、通信ネットワーク７を通じて制御装置２に充電予約要求のアクセスをする。この充電予約要求のアクセスには、前述したように請求項１における第２の利用識別情報の例を構成する会員ＩＤが含まれている。
【０１４２】
制御装置２は、この実施形態では、この充電予約要求のアクセスに含まれる会員ＩＤにより、会員認証を行って、会員認証がＯＫであれば、当該充電予約要求を受け付けて、充電装置管理部２０５で充電装置管理テーブルを参照し、充電サービス中で無い空きの充電装置があるかどうかの充電サービスの空き状況を検知する。そして、制御装置２は、充電予約処理部２１１で、充電サービスについての空き状況を含めた予約用画面を生成して携帯電話端末８に送る。
【０１４３】
この予約用画面を受け取った携帯電話端末８では、充電サービスについての空き状況を、その表示画面に表示する。この表示画面には、空きの充電装置があるときには、その旨が表示されると共に、充電予約要求を実行するか否かの問い合わせ表示がなされる。そして、その問い合わせ表示に応じて「充電予約要求を実行する」を会員が選択すると充電予約要求が制御装置２に送られる。
【０１４４】
また、空きの充電装置が無いときには、携帯電話端末の表示画面には、その旨が表示されると共に、充電予約要求が実行された場合には、空きの充電装置が発生したら通知する旨の表示がなされ、さらに充電予約要求を実行するか否かの問い合わせ表示がなされる。そして、その問い合わせ表示に応じて「充電予約要求を実行する」を会員が選択すると充電予約要求が制御装置２に送られる。
【０１４５】
制御装置２の充電予約処理部２１１は、通信ネットワーク７を通じてこの充電予約要求を受信すると、それに予約番号を付与して、電子メールアドレスおよび充電予約要求に含まれる会員ＩＤを充電予約管理テーブルに登録する。
【０１４６】
そして、図９のシーケンス例は、空きの充電装置が存在している場合であるが、このときには、制御装置２の充電予約処理部２１１は、充電装置管理部２０５から空いている充電装置１の充電装置ＩＤおよび駐車スペース確保装置４の装置ＩＤを受けて、それらに応じた充電装置番号や駐車スペース番号を含む充電予約設定通知を、充電予約要求してきた携帯電話端末８に送信する。携帯電話端末８は、受信した充電装置番号や駐車スペース番号を保持記憶し、会員の操作に応じて表示画面に表示することができる。
【０１４７】
そして、充電予約処理部２１１は、充電装置管理部２０５から受けた空きの充電装置１の充電装置ＩＤおよび駐車スペース確保装置４の装置ＩＤを充電予約管理テーブルに登録すると共に、管理項目「予約遂行状況」に「予約設定済」を登録する。
【０１４８】
さらに、制御装置２の充電予約処理部２１１は、充電装置管理部２０５から受けた空きの駐車スペース確保装置４に対して駐車スペース確保要求を送る。駐車スペース確保装置４は、この駐車スペース確保要求を受けて、車両進入制御バー４１を閉状態にロックして、前述したように予約した会員以外の車両の進入を阻止するようにする。
【０１４９】
携帯電話端末８のディスプレイ画面において、予約設定された充電装置番号や駐車スペース番号を知得した会員は、パチンコ店に訪れ、予約設定されている駐車スペース９の駐車スペース確保装置４に会員カードをかざす。すると、駐車スペース確保装置４は、会員カードから読み込んだ会員ＩＤを含む駐車スペース進入要求を制御装置２に送る。この駐車スペース進入要求に含まれている会員ＩＤは、前述したように請求項１における第１の利用識別情報の例を構成する。
【０１５０】
制御装置２は、この駐車スペース進入要求を受け取ると、駐車スペース利用管理部２１２において、当該駐車スペース進入要求に含まれる会員ＩＤを用いて会員認証を行い、認証ＯＫであれば、充電予約処理部２１１に、駐車スペース進入要求に含まれている駐車スペース確保装置４の装置ＩＤに対する充電予約要求の有無について問い合わせる。このシーケンス例では、駐車スペース進入要求を送信してきた駐車スペース確保装置４についての充電予約設定がなされているので、充電予約処理部２１１は、該当する充電予約要求があること、および、その充電予約要求をしてきた会員の会員ＩＤを駐車スペース利用管理部２１２に回答する。
【０１５１】
駐車スペース利用管理部２１２は、この充電予約処理部２１１からの回答を受け取ると、受け取った会員ＩＤと、駐車スペース進入要求に含まれていた会員ＩＤとを比較照合する。すると、両会員ＩＤは一致するので、駐車スペース利用管理部２１２は、駐車スペース進入許可通知を生成し、それを駐車スペース進入要求を送ってきた駐車スペース確保装置４に送信する。
【０１５２】
そして、このとき、制御装置２の充電装置管理部２０５は、駐車スペース進入許可通知が送られた駐車スペース確保装置４の装置ＩＤに対する充電サービス番号の管理項目「会員ＩＤ」に、駐車スペース進入要求に含まれる会員ＩＤを登録する。
【０１５３】
駐車スペース確保装置４の制御部４０１は、制御装置２から駐車スペース進入許可通知を受けると、開閉駆動制御機構４２による車両進入制御バー４１の閉状態のロックを解除し、開閉駆動信号生成部４０７で開閉駆動制御信号を生成させる。この開閉駆動制御信号により、開閉駆動制御機構４２が駆動されて車両進入制御バー４１が垂直状態に回動されて、予約された駐車スペース９への、予約した会員の車両の進入が許可される。
【０１５４】
こうして、予約した駐車スペース９に車両を進入させた会員は、当該駐車スペース９に設置されている充電装置１のカードリーダ・ライタ１２に会員カードをかざすと共に、充電プラグ１４を車両の充電用コネクタに接続する。会員カードをかざす動作と、充電プラグ１４の接続動作は、いずれが先であっても良い。
【０１５５】
充電装置１は、カードリーダ・ライタ１２に会員カードをかざされたことと、充電プラグ１４が車両の充電用コネクタに接続されたことの両方を検知すると、送信信号生成部４０４で充電要求通知を生成し、無線ＬＡＮ５を通じて制御装置２に送信する。この充電要求通知に含まれている会員ＩＤは、前述したように請求項４における第３の利用識別情報の例を構成する。
【０１５６】
制御装置２は、この実施形態では、この充電装置１からの充電要求通知を受け取ると、それに含まれる充電装置ＩＤおよび会員ＩＤを抽出する。そして、制御装置２の充電装置管理部２０５は、充電装置管理テーブルに、抽出した充電装置ＩＤに対応して登録されている会員ＩＤと、充電要求通知から抽出した会員ＩＤとを比較して、両会員ＩＤの一致を確認する。そして、両会員ＩＤが一致していることを確認できたときには、充電装置管理部２０５は、その確認結果を充電制御指示生成部２０４に通知する。
【０１５７】
制御装置２の充電制御指示生成部２０４は、充電装置１から受信した充電要求通知と、充電装置管理部２０５からの前記会員ＩＤの一致確認通知とに基づいて、充電開始指示を生成して、無線ＬＡＮインターフェース２０２を通じて、充電装置１に送信する。この充電開始指示を受けた充電装置１の制御部１０１は、充電回路部１０２を制御して、充電プラグ１４に接続された電気自動車への充電を開始する。
【０１５８】
会員ＩＤの一致確認通知を充電制御指示生成部２０４に送った充電装置管理部２０５は、充電装置管理テーブルに、充電要求通知から抽出した充電装置ＩＤについての充電サービス番号についての管理項目「充電ステータス」を「空き」から「充電中」に変更する。
【０１５９】
なお、図９のシーケンス例は、携帯電話端末８からの充電予約要求のアクセス時に、空きの充電装置１および駐車スペース確保装置４が存在している場合であったが、パチンコ台ユニット３２の充電予約ボタン３５が押下操作されて、制御装置２に充電予約要求されたときに、空きの充電装置１および駐車スペース確保装置４が存在している場合にも、ほぼ同様のシーケンスとなる。
【０１６０】
ただし、その場合には、充電予約ボタン３５が押下操作されると、パチンコ台ユニット３２は、挿入されている会員カードから会員ＩＤを読み出して、その会員ＩＤを含めた充電予約要求を制御装置２に有線ＬＡＮ６を通じて送る。この充電予約要求に含まれている会員ＩＤは、前述したように請求項１における第２の利用識別情報の例を構成する。
【０１６１】
その充電予約要求を受信した制御装置２は、携帯電話端末８からの充電予約要求の場合と同様にして、会員認証を行い、会員認証がＯＫであれば、充電予約要求を受け付けて、予約番号を付与し、充電予約管理テーブルにその会員ＩＤを登録する。そして、制御装置２は、充電装置管理部２０５で充電装置管理テーブルを参照し、充電サービス中で無い空きの充電装置があるかどうかの充電サービスの空き状況を検知する。そして、このときには、予約用画面を生成することなく、制御装置２は、空きの充電装置の存在を確認して、充電予約管理テーブルにおいて、その空きの充電装置の装置ＩＤおよび対応する駐車スペース確保装置４の装置ＩＤを、登録した会員ＩＤに対応付けて登録する。そして、その登録した充電装置番号および対応する駐車スペース番号をパチンコ台ユニット３２に通知する。
【０１６２】
パチンコ台ユニット３２では、この通知を受けて、ＬＣＤ３４に受信した充電装置番号および対応する駐車スペース番号を表示する。このＬＣＤ３４に表示された予約設定された充電装置番号および駐車スペース番号を観た会員は、パチンコ遊技を一旦休止して、会員カードをパチンコ台ユニット３２から一旦取り出す。
【０１６３】
そして、会員は自分の車両を、パチンコ台ユニット３２に表示された予約設定された駐車スペース番号の駐車スペース９のところまで移動させ、予約設定されている駐車スペース確保装置４および充電装置１に会員カードをかざして充電要求をする。したがって、会員カードを取り出した後以降は、図９のシーケンスにおいて、駐車スペース確保装置４のカードリーダ・ライタ４３に対して会員カードがかざされたとき以降の処理と同様の処理がなされる。
【０１６４】
［充電予約要求の処理シーケンス例２；図１０］
次に、上述した構成の充電サービス予約システムにおいて、パチンコ台ユニット３２から制御装置２に対して有線ＬＡＮ６を通じて充電予約要求のアクセスを行い、当該アクセスの際に空きの充電装置が存在しない場合のシーケンス例を、図１０を参照しながら説明する。このシーケンス例は、充電装置１で充電を行いながら、パチンコ遊技を楽しもうとパチンコ店を訪れたが、空きの駐車スペース９および充電装置１が存在しなかったので、会員がパチンコ台ユニット３２に会員カードを挿入した後、充電予約ボタン３５を押下した場合などを想定している。
【０１６５】
先ず、会員が会員カードをパチンコ台ユニット３２に挿入している状態において、充電予約ボタン３５を押下操作すると、パチンコ台ユニット３２の送信信号生成部３０４は、会員カードから読み出した会員ＩＤを含めた充電予約要求を生成し、有線ＬＡＮインターフェース３０２を通じて制御装置２に送信する。この充電予約要求に含まれている会員ＩＤは、前述したように請求項１における第２の利用識別情報の例を構成する。
【０１６６】
その充電予約要求を受信した制御装置２は、充電予約処理部２１１で、充電予約要求に含まれる会員ＩＤを用いて前述と同様にして会員認証を行い、会員認証がＯＫであれば、充電予約要求を受け付けて予約番号を付与し、充電予約管理テーブルに、予約番号に対応付けてその会員ＩＤを登録する。そして、制御装置２は、充電装置管理部２０５で充電装置管理テーブルを参照し、充電サービス中で無い空きの充電装置があるかどうかを探査する。そして、この図１０の例のシーケンスでは、空きの充電装置が存在しないため、制御装置２の充電予約処理部２１１は、充電予約管理テーブルにおいて、登録した会員ＩＤに対応付けた管理項目「予約遂行状況」に「予約設定待ち」を登録する。
【０１６７】
そして、制御装置２の充電予約処理部２１１は、「予約設定待ち」を、充電要求してきたパチンコ台ユニット３２に通知する。パチンコ台ユニット３２では、この「予約設定待ち」の通知を受けて、ＬＣＤ３４にその旨を表示する。
【０１６８】
そして、制御装置２の充電装置管理部２０５で、充電装置の空きを検出するのを待つ。制御装置２の充電装置管理部２０５で、充電装置の空きを検出すると、その空きとなった充電装置の充電装置ＩＤおよび対応する駐車スペース確保装置４の装置ＩＤを伴う空き通知が充電予約処理部２１１に送られる。
【０１６９】
この空き通知を受け取った充電予約処理部２１１は、充電装置管理部２０５から受けた空きの充電装置１の充電装置ＩＤおよび駐車スペース確保装置４の装置ＩＤを充電予約管理テーブルに登録すると共に、管理項目「予約遂行状況」に「予約設定済」を登録する。
【０１７０】
そして、充電予約処理部２１１は、充電装置管理部２０５から受けた空きの駐車スペース確保装置４に対して駐車スペース確保要求を送る。駐車スペース確保装置４は、この駐車スペース確保要求を受けて、車両進入制御バー４１を閉状態にロックして、前述したように予約した会員以外の車両の進入を阻止するようにする。
【０１７１】
さらに、充電予約処理部２１１は、空いている充電装置１の充電装置ＩＤおよび駐車スペース確保装置４の装置ＩＤに応じた充電装置番号や駐車スペース番号を含む充電予約設定通知を、充電予約要求して、「予約設定待ち」となっているパチンコ台ユニット３２に送信する。このパチンコ台ユニット３２は、充電予約管理テーブルに登録されているユニットＩＤを参照することにより判別することができる。
【０１７２】
充電予約要求をした後、当該パチンコ台ユニット３２のパチンコ台でパチンコ遊技をしている会員は、そのパチンコ台ユニット３２のＬＣＤ３４に予約設定された充電装置番号および駐車スペース番号が表示されるので、パチンコ遊技を一旦休止して、予約設定されている駐車スペース確保装置４および充電装置１に赴き、会員カードをかざして充電要求をする。
【０１７３】
これ以降のシーケンスは、図９において、駐車スペース確保装置４のカードリーダ・ライタ４３に対して会員カードがかざされたとき以降の処理と同様の処理がなされる。
【０１７４】
こうして、充電予約要求をしたときに、充電装置１の空きがない状態においても、制御装置２において、充電装置１の空きを検出次第、会員には空きが生じた充電装置および駐車スペースの通知が送られる。そして、そのとき、空きの駐車スペースは、他の会員が車両を進入させることができないように、確保されるので、充電予約をした会員は、予約した充電を確実に実行することができる。
【０１７５】
なお、この図１０のシーケンス例は、パチンコ台ユニット３２からの充電予約要求が制御装置２に送られた時に、空きの充電装置１および駐車スペース確保装置４が存在しなかった場合であったが、携帯電話端末８からの充電予約要求のアクセス時に、空きの充電装置１および駐車スペース確保装置４が存在しなかった場合にも、同様にして充電予約処理することができる。
【０１７６】
すなわち、携帯電話端末８からの充電予約要求のアクセス時に、空きの充電装置１および駐車スペース確保装置４が無かったときには、制御装置２の充電予約処理部２１１は、「予約設定待ち」を携帯電話端末８に対して通知すると共に、充電予約管理テーブルの各予約番号についての管理項目「予約遂行状況」に、「予約設定待ち」を登録する。
【０１７７】
そして、前述もしたように、充電予約処理部２１１は、充電装置管理部２０５から充電装置１の空き通知を受けたときに、充電予約管理テーブルにおいて、予約登録順に「予約設定待ち」の充電予約の予約番号について、空きとなった充電装置１および駐車スペース確保装置４を割り当て設定し、それらに応じた充電装置番号や駐車スペース番号を含む充電予約設定通知を、充電予約要求した会員に通知する。この会員への通知は、この実施形態では、充電予約管理テーブルに電子メールアドレスが登録されている携帯電話端末などの通信端末のみでなく、ユニットＩＤが登録されていれば、当該ユニットＩＤのパチンコ台ユニット３２にも行われる。
【０１７８】
そして、充電予約処理部２１１は、充電装置管理部２０５から受けた空きの充電装置１の充電装置ＩＤおよび駐車スペース確保装置４の装置ＩＤを充電予約管理テーブルに登録すると共に、管理項目「予約遂行状況」に「予約設定済」を登録する。
【０１７９】
その後は、図９のシーケンスにおける駐車スペース確保装置４のカードリーダ・ライタ４３に対して会員カードがかざされたとき以降の処理と同様の処理がなされる。
【０１８０】
［充電装置の空きの発生から充電予約の実行のシーケンス例；図１１］
図１０のシーケンス例において、制御装置２の充電装置管理部２０５での充電装置１および駐車スペース確保装置４の空き検出は、充電装置１からの充電プラグ接続解除通知の受信および駐車スペース確保装置４からの駐車スペース退出許可通知に基づいて行う。そして、この実施形態では、制御装置２は、当該空き検出をすると、充電予約管理テーブルにおいて予約設定待ちとなっている充電予約の予約番号に対して、当該空いた充電装置１および駐車スペース確保装置４を予約設定するようにする。なお、会員が駐車スペース確保装置４で確保されている駐車スペース９から車両を退場させる際には、遊技ポイントによる充電料金の充当処理も実行される。図１１は、このときのシーケンス例である。
【０１８１】
会員は、車両を駐車スペース９から退場させるに当たっては、先ず、充電プラグ１４を自分の電気自動車から外し、その後、駐車スペース確保装置４に会員カードを挿入して、駐車スペース９からの退場要求をする。
【０１８２】
充電装置１は、充電プラグ接続検出部１０３で充電プラグ１４が電気自動車の充電用コネクタから外されたこと検出し、その検出に基づいて、送信信号生成部１０７は、充電プラグ接続解除通知を生成して制御装置２に送信する。制御装置２は、この充電プラグ接続解除通知を受信すると、充電装置管理部２０５で、それに含まれる充電装置ＩＤから、いずれの充電装置からの充電プラグ接続解除通知であるかを判定し、対応する充電時間タイマーが計測動作をしている場合には、その時間計測を停止し、それまでの計測時間を充電時間として取得し、充電時間タイマーをリセットする。
【０１８３】
なお、制御装置２は、充電完了通知を事前にその充電装置１から受信している場合には、充電時間タイマーは、その充電完了時点で充電時間の計測を停止している。その場合には、制御装置２は、充電プラグ接続解除通知を受信すると、充電時間タイマーの時間計測値を、充電時間として取得し、充電時間タイマーをリセットする。
【０１８４】
そして、制御装置２は、取得した充電時間分の充電料金に充当される遊技ポイント数を計算しておく。そして、制御装置２は、続いて駐車スペース確保装置４から送られてくると予想される駐車スペース退出要求を待つ。
【０１８５】
駐車スペース確保装置４は、会員カードが挿入されると、カードリーダ・ライタ４３で会員カードから会員ＩＤと蓄積遊技ポイント数とを読み出し、その会員ＩＤと蓄積遊技ポイント数とを含めた駐車スペース退出要求を送信信号生成部１０７で生成し、無線ＬＡＮインターフェース１０５を通じて制御装置２に送信する。
【０１８６】
制御装置２は、この駐車スペース退出要求を受け取ると、駐車スペース確保装置４の装置ＩＤおよび会員ＩＤにより、充電プラグ接続解除通知を対応する充電装置１から送ってきた会員であることを確認する。そして、制御装置２は、先に計算した充電時間分の充電料金に充当される遊技ポイント数を、蓄積遊技ポイント数から減算し、残ポイントを計算する。そして、残ポイントが正であれば、制御装置２は、それを駐車スペース確保装置４に、無線ＬＡＮ５を通じて送信する。さらに、制御装置２は、駐車スペース退出許可通知を駐車スペース確保装置４に送る。
【０１８７】
駐車スペース確保装置４のカードリーダ・ライタ４３は、会員カードの蓄積ポイント数を、受信した残ポイントに書き換え、会員カードを排出する。そして、駐車スペース確保装置４は、駐車スペース退出許可通知に基づき、車両進入制御バー４１を開状態に回動し、車両の退場を確認した後、車両進入制御バー４１を閉状態に戻す。
【０１８８】
一方、制御装置２は、充電装置管理テーブルのうちの、駐車スペース退出許可通知を送った駐車スペース確保装置４および対応する充電装置１についての充電サービス番号の管理項目を削除し、「充電ステータス」を「空き」にリセットすると共に、充電装置１に対して、次の充電のためのリセット要求を送る。充電装置１は、このリセット要求を受けて、次の充電のためのリセット処理を行う。
【０１８９】
次に、制御装置２の充電装置管理部２０５は、充電装置管理テーブルで「充電ステータス」を「空き」にリセットした充電装置１および駐車スペース確保装置４の空き通知を、充電予約処理部２１１に通知する。充電予約処理部２１１は、この空き通知を受け取って、充電予約管理テーブルを参照し、「予約遂行状況」が「予約設定待ち」となっている充電予約の予約番号があるか否か探査する。
【０１９０】
そして、制御装置２の充電予約処理部２１１は、「予約設定待ち」となっている充電予約の予約番号が一つある場合にはその充電予約に、また、「予約設定待ち」となっている充電予約の予約番号が複数個ある場合には、予約登録順位が早い充電予約の予約番号に、空き通知で示された充電装置１および駐車スペース確保装置４を予約設定する。すなわち、予約設定するとした予約番号についての管理項目「充電装置ＩＤ」および「駐車スペース確保装置ＩＤ」には、受け取ったそれぞれの装置ＩＤを登録すると共に、管理項目「予約遂行状況」に「予約設定済」を登録する。
【０１９１】
そして、充電予約処理部２１１は、制御部２０１の制御に従って、受け取った「駐車スペース確保装置ＩＤ」の駐車スペース確保装置４に、駐車スペース確保要求を送る。そして、充電予約処理部２１１は、充電予約管理テーブルにおいて、予約設定した予約番号についての管理項目「ユニットＩＤ」で特定されるパチンコ台ユニット３２宛て、および管理項目「携帯メールアドレス」宛てに、充電予約設定した駐車スペース番号および充電装置番号を通知する。
【０１９２】
これ以降は、図１０における充電予約設定通知をパチンコ台ユニット３２に送った場合と同様の処理シーケンスとなる。
【０１９３】
なお、制御装置２が充電時間分の充電料金に充当される遊技ポイント数を会員カードの蓄積ポイント数から減算したときに、残ポイントが負であれば、蓄積遊技ポイント数では、充電料金の全てを充当できなかったことになる。このときには、制御装置２は、残ポイント数をゼロとすると共に、不足の充電料金の情報を、駐車スペース確保装置４に送る。駐車スペース確保装置４では、現金受領機構４０６でその不足分を表示し、会員から不足分の現金の徴収を行うようにする。
【０１９４】
なお、制御装置２が充電予約設定通知を送る際に、パチンコ台ユニット３２のユニットＩＤが充電予約管理テーブルに登録されていない場合であって、電子メールアドレスも登録されていないときには、会員登録情報管理部２０９に、予め対応する会員の携帯電話端末の電子メールアドレスが登録されていれば、その携帯電話端末の電子メールアドレス宛に、充電予約設定通知をメール送信するようにしても良い。
【０１９５】
また、制御装置２が充電予約設定通知を送る際に、パチンコ台ユニット３２のユニットＩＤが充電予約管理テーブルに登録されていない場合は、会員が会員カードをいずれのパチンコ台ユニットにも挿入していない状態であるが、後で、会員カードがいずれかのパチンコ台ユニットに挿入される場合もある。そこで、パチンコ台ユニット３２のユニットＩＤが充電予約管理テーブルに登録されていない場合であって、充電予約設定通知を会員に後れなかった場合には、充電予約設定未通知のフラグを立てておき、後で、会員カードがいずれかのパチンコ台ユニットに挿入されたとき、その会員ＩＤについての充電予約の予約番号について、充電予約設定未通知のフラグが立っていれば、そのパチンコ台ユニット３２に対して、充電予約設定通知を送るようにしても良い。
【０１９６】
［遊技ポイント数の計算と、会員カードへの書き込みのシーケンス例；図１２］
この実施形態では、遊技ポイントは、会員が会員カードをパチンコ台ユニット３２に挿入しただけでは発生せず、会員が実際にパチンコ遊技を実行している時間に応じた分として発生する。
【０１９７】
図１２は、会員がパチンコ台ユニット３２に会員カードを挿入してから会員カードを取り出すまでの間のシーケンス例を示すものである。
【０１９８】
会員は、パチンコ店の屋内に入り、複数のパチンコ台３１〜３ｍのうちから選択した任意のパチンコ台３のパチンコ台ユニット３２のカード挿入口３３に会員カードを挿入する。すると、パチンコ台ユニット３２では、カード挿入口３３から挿入された会員カードに記憶されている情報を、内蔵のカードリーダ・ライタ３０７が読み出して制御部３０１に供給する。そして、パチンコ台ユニット３２の制御部３０１は、カードリーダ・ライタ３０７から受け取った情報から会員ＩＤを取得し、送信信号生成部３０４に渡す。送信信号生成部３０４は、制御部３０１の制御に基づき、当該会員ＩＤと自ユニットＩＤとを含むカード挿入通知を生成し、それを有線ＬＡＮインターフェース３０２を通じて制御装置２に送る。このカード挿入通知に含まれている会員ＩＤは、前述したように請求項５における第４の利用識別情報の例を構成する。
【０１９９】
制御装置２は、パチンコ台ユニット３２からのカード挿入通知を有線ＬＡＮインターフェース２０６を通じて受信し、有線受信信号解析部２０７に転送する。有線受信信号解析部２０７は、カード挿入通知を判別すると、その判別結果を制御部２０１に通知すると共に、カード挿入通知を充電装置管理部２０５に供給する。
【０２００】
充電装置管理部２０５は、受け取ったカード挿入通知に含まれる会員ＩＤおよびユニットＩＤを抽出する。そして、充電装置管理部２０５は、制御部２０１の制御に基づいて、抽出した会員ＩＤと、充電装置管理テーブルに記憶されている各充電サービス番号の管理項目「会員ＩＤ」とを比較参照し、両会員ＩＤが一致している充電サービス番号が充電装置管理テーブルにあるか否か判別する。
【０２０１】
そして、このシーケンス例においては、充電装置管理部２０５は、受信した会員ＩＤと一致する会員ＩＤを管理項目として有する充電サービス番号が充電装置管理テーブルにあると判別し、その一致した会員ＩＤを管理項目として含む充電サービス番号の管理項目「ユニットＩＤ」に、前記会員ＩＤを送ってきたパチンコ台ユニット３２のユニットＩＤを登録する。また、充電装置管理部２０５は、当該充電要求の管理項目「充電ステータス」を「充電中」とする。そして、制御部２０１は、表示通知情報生成部２０８に、充電中表示情報を生成させて、それをパチンコ台ユニット３２に返す。パチンコ台ユニット３２は、この充電中表示情報を受信して、「充電中」をＬＣＤ３４に表示する。
【０２０２】
この充電中表示情報を受信したパチンコ台ユニット３２は、それを受信信号処理部３０３でデコード処理する。そして、パチンコ台ユニット３２の制御部３０１は、受信信号処理部３０３からの充電中表示情報をディスプレイインターフェース３０８を通じてＬＣＤ３４に供給し、その表示画面に「充電中」を表示させる。
【０２０３】
こうして、充電装置管理テーブルにユニットＩＤが登録されることにより、制御装置２は、充電装置１から充電要求通知をした会員が、いずれのパチンコ台ユニット３２に会員カードを挿入して遊技を開始しようとしているかを認識することができる。しかし、未だ、充電要求をした会員が実際に遊技を開始しているかどうかは、この時点では、不明である。制御装置２の制御部２０１は、充電装置管理テーブルにユニットＩＤを登録したパチンコ台ユニット３２からの遊技中情報、非遊技中情報の受信を監視して、会員が実際に遊技を行っているかどうかを判断する。
【０２０４】
会員は、会員カードを挿入したパチンコ台ユニット３２を備えるパチンコ台３のハンドル３１を操作して遊技を開始する。会員が遊技を開始したことにより、パチンコ台ユニット３２の玉流れ検出部３０６は、パチンコ玉がパチンコ台３の盤面に流れていることを示す検出出力を、システムバス３００を通じて制御部３０１に供給する。制御部３０１は、この玉流れ検出部３０６の検出出力を受けて、送信信号生成部３０４にユニットＩＤおよび会員ＩＤを含む遊技中情報を生成させる。送信信号生成部３０４は、生成した遊技中情報を、制御部３０１の制御に基づき、有線ＬＡＮインターフェース３０２を通じて制御装置２に送信する。
【０２０５】
制御装置２は、パチンコ台ユニット３２からの遊技中情報を有線ＬＡＮインターフェース２０６を通じて受信し、有線受信信号解析部２０７に転送する。制御装置２の有線受信信号解析部２０７は、遊技中情報の受信を判別すると、その判別結果を制御部２０１に通知すると共に、判別した遊技中情報を遊技ポイント計測部２１３に供給する。
【０２０６】
遊技ポイント計測部２１３は、制御部２０１の制御に基づき、受信した遊技中情報に含まれるユニットＩＤおよび会員ＩＤを抽出して、その抽出したユニットＩＤおよび会員ＩＤに対応する遊技中タイマーをセットし、それによる遊技中時間の計測をスタートさせる。
【０２０７】
次に、会員がハンドル３１の操作を停止したためパチンコ台３の盤面におけるパチンコ玉の流れが停止すると、パチンコ台ユニット３２の玉流れ検出部３０６は、それを示す検出出力をシステムバスを通じて制御部３０１に供給する。制御部３０１は、この玉流れ検出部３０６の検出出力を受けて、送信信号生成部３０４にユニットＩＤおよび会員ＩＤを含む非遊技中情報を生成させる。送信信号生成部３０４は、生成した非遊技中情報を、制御部３０１の制御に基づき、有線ＬＡＮインターフェース３０２を通じて制御装置２に送信する。
【０２０８】
制御装置２は、パチンコ台ユニット３２からの非遊技中情報を有線ＬＡＮインターフェース２０６を通じて受信し、有線受信信号解析部２０７に転送する。有線受信信号解析部２０７は、非遊技中情報の受信を判別すると、その判別結果を制御部２０１に通知すると共に、判別した非遊技中情報を遊技ポイント計測部２１３に供給する。
【０２０９】
非遊技中情報を受信した遊技ポイント計測部２１３は、制御部２０１の制御に基づき、受信した非遊技中情報に含まれるユニットＩＤおよび会員ＩＤを抽出して、その抽出したユニットＩＤおよび会員ＩＤに対応する遊技中タイマーを検出する。そして、遊技ポイント計測部２１３は、会員がパチンコ遊技を停止（中断または終了）したと判断して、その検出した遊技中タイマーの遊技中時間の計測をストップさせる。
【０２１０】
次に、会員がハンドル３１を操作して、再度、パチンコ台３の盤面にパチンコ玉を流し始めると、パチンコ台ユニット３２の玉流れ検出部３０６は、パチンコ玉がパチンコ台３の盤面に流れていることを示す検出出力を、システムバス３００を通じて制御部３０１に供給する。制御部３０１は、この玉流れ検出部３０６の検出出力を受けて、送信信号生成部３０４に遊技中情報を生成させ、有線ＬＡＮインターフェース３０２を通じて制御装置２に送信するように制御する。
【０２１１】
制御装置２の有線受信信号解析部２０７は、この遊技中情報の受信を判別すると、その判別結果を制御部２０１に通知すると共に、判別した遊技中情報を遊技ポイント計測部２１３に供給する。
【０２１２】
遊技ポイント計測部２１３は、制御部２０１の制御に基づき、受信した非遊技中情報に含まれるユニットＩＤおよび会員ＩＤを抽出して、その抽出したユニットＩＤおよび会員ＩＤに対応する遊技中タイマーを検出する。そして、遊技ポイント計測部２１３は、会員がパチンコ遊技を再開したと判断して、検出した遊技中タイマーによる遊技中時間の計測を再スタートさせる。
【０２１３】
そして、充電要求をした会員が遊技中においては、充電装置１の充電状況判断部１０４は、充電中の電気自動車のバッテリーの充電状況（例えば「充電量が３０％である」、「充電量が５０％である」、「充電完了」等）を検出し、その検出した充電状況を送信信号生成部１０７に供給する。
【０２１４】
充電装置１の制御部１０１は、充電中における所定時間間隔、あるいは、充電量が所定量になる毎に、送信信号生成部１０７に、充電状況通知を生成させるように制御する。送信信号生成部１０７は、制御部１０１により充電状況通知の生成が指示されたタイミングにおける充電状況判断部１０４からの充電状況検出結果に基づいて充電状況通知を生成する。なお、この例では、特に、充電状況判断部１０４からの充電状況検出結果が「充電完了」を示すものとなったときには、制御部１０１がそれを検知して、当該充電完了の時点で、送信信号生成部１０７に充電完了通知を生成させるようにする。
【０２１５】
送信信号生成部１０７は、制御部１０１の制御に基づいて、生成した充電状況通知または充電完了通知を、無線ＬＡＮインターフェース１０５を通じて制御装置２に送信する。
【０２１６】
制御装置２は、充電装置１からの充電状況通知または充電完了通知を無線ＬＡＮインターフェース２０２を通じて受信し、それを無線受信信号解析部２０３に送る。無線受信信号解析部２０３は、当該充電状況通知または充電完了通知の受信を判別すると、その判別結果を制御部２０１に通知すると共に、その充電状況通知または充電完了通知を充電装置管理部２０５に供給する。
【０２１７】
充電装置管理部２０５は、制御部２０１の制御に基づき、受信した充電状況通知または充電完了通知に含まれる充電装置ＩＤを抽出し、充電装置管理テーブルに登録されている充電装置ＩＤのうち、一致する充電装置ＩＤの充電サービス番号を判別する。そして、充電装置管理部２０５は、判別した充電サービス番号に対応付けられて登録されているパチンコ台ユニット３２のユニットＩＤを充電装置管理テーブルから判別し、制御部２０１に通知する。
【０２１８】
制御部２０１は、充電状況通知または充電完了通知の受信の判別結果を受けて、表示通知情報生成部２０８に、充電状況表示情報または充電完了時表示情報を生成させる。充電状況表示情報は、例えば「充電量３０％」、「充電量５０％」等の充電状況途中経過の表示を行うためのものである。また、充電完了表示情報には、充電を終了した旨のみではなく、充電装置１を他の会員に利用可能とするために、充電装置１が設置されている駐車スペースから、車両の移動を会員に依頼するメッセージが含まれる。
【０２１９】
そして、制御部２０１は、充電装置管理部２０５で判別されたユニットＩＤのパチンコ台ユニット３２に、表示通知情報生成部２０８で生成された充電状況表示情報または充電完了時表示情報を、有線ＬＡＮインターフェース２０６を通じて送るように制御する。
【０２２０】
なお、充電装置管理部２０５は、充電装置管理テーブルにおいて、充電完了通知を送ってきた充電装置１の管理項目「充電ステータス」は「充電完了」とする。
【０２２１】
また、無線受信信号解析部２０３で充電完了通知が判別されたときには、制御部２０１は、さらに、充電制御指示生成部２０４に、充電終了指示を生成させる。そして、制御部２０１は、生成された充電終了指示を、当該充電完了通知を送ってきた充電装置１に、無線ＬＡＮインターフェース２０２を通じて送るように制御する。
【０２２２】
パチンコ台ユニット３２は、制御装置２からの充電状況表示情報または充電完了時表示情報を有線ＬＡＮインターフェース３０２を通じて受信し、受信信号処理部３０３でデコード処理する。そして、パチンコ台ユニット３２の制御部３０１は、受信信号処理部３０３からの充電状況表示情報または充電完了時表示情報をディスプレイインターフェース３０８を通じてＬＣＤ３４に供給する。
【０２２３】
これにより、充電状況表示情報の場合には、ＬＣＤ３４には、例えば「充電量３０％」、「充電量５０％」等の充電状況表示が行われる。充電完了時表示情報の場合には、ＬＣＤ３４には、充電を完了した旨と、充電装置１を他の会員に利用可能とするために、充電装置１が設置されている駐車スペースから、車両の移動を会員に依頼するメッセージが表示される。
【０２２４】
なお、充電完了時表示情報を受信したパチンコ台ユニット３２は、充電を完了した旨および車両の移動を会員に依頼するメッセージを、パチンコ台ユニット３２に設けられるスピーカから、併せて放音するようにしても良い。
【０２２５】
また、制御装置２からの充電終了指示は、充電装置１の無線ＬＡＮインターフェース１０５を通じて受信され、受信信号解析部１０６で判別される。充電装置１の制御部１０１は、この充電終了指示を受信したことを確認すると、充電回路部１０２を制御して、充電を停止させ、充電終了となる。
【０２２６】
パチンコ台ユニット３２での充電完了時表示に対応して、駐車場に赴き、車両を移動するために、会員がパチンコ遊技を中止し、会員カードをパチンコ台ユニット３２から取り出す操作をすると、パチンコ台ユニット３２は、非遊技中情報を上述と同様にして制御装置２に送信した後、会員カード取り出し要求を制御装置２に送信する。
【０２２７】
制御装置２は、パチンコ台ユニット３２からの非遊技中情報を受信すると、遊技ポイント計測部２１３において、前述と同様にして、当該非遊技中情報に含まれるユニットＩＤおよび会員ＩＤに対応する遊技中タイマーを判定して、その遊技中時間の計測を停止させる。そして、制御装置２は、会員カード取り出し要求を受信すると、遊技ポイント計測部２１３に、遊技中タイマーで積算計測された遊技中時間を遊技ポイント数に換算させる。そして、制御装置２は、その換算された遊技ポイント数を、会員カード取り出し要求を送信してきたパチンコ台ユニット３２に返信する。
【０２２８】
この遊技ポイント数を受信したパチンコ台ユニット３２は、そのカードリーダ・ライタ３０７により、当該受信した遊技ポイント数を、会員カードにそれまでに蓄積されていたポイント数に加算して、会員カードに書き込む。こうして、会員カードには、会員が実際にパチンコ遊技を行った時間分に対応する遊技ポイントが自動的に蓄積されてゆく。
【０２２９】
パチンコ台ユニット３２は、その後、会員カードをパチンコ台ユニット３２から排出する。さらに、パチンコ台ユニット３２は、会員カードが排出されたことを示す会員カード取出通知（会員ＩＤおよび自ユニットＩＤを含む）を制御装置２に送信する。
【０２３０】
次に、以上説明したシーケンス例に対応して、充電装置１、制御装置２、パチンコ台ユニット３２および駐車スペース確保装置３のそれぞれが実行する処理のそれぞれについて、以下に説明する。
【０２３１】
［駐車スペース確保装置４での処理例；図１３〜図１４］
図１３〜図１４は、駐車スペース確保装置４における処理動作例を説明するためのフローチャートである。なお、以下の説明においては、図３に示した駐車スペース確保装置４の構成における受信信号解析部４０３、送信信号生成部４０４、開閉駆動信号生成部４０５のそれぞれの処理機能は、制御部４０１が、そのソフトウエアプログラムによる実行する機能として実行する場合としている。
【０２３２】
駐車スペース確保装置４の制御部４０１は、先ず、駐車スペース確保要求を受信したか否か判別し（ステップＳ１）、駐車スペース確保要求を受信したと判別したときには、バー開閉駆動制御機構４２を制御して、駐車スペース進入制御バー４１を閉状態にロックして駐車スペースを確保する（ステップＳ２）。そして、制御部４０１は、会員カードが挿入されたか否か判別し（ステップＳ３）、挿入されていないと判別したときには、処理をステップＳ２に戻し、このステップＳ２以降を繰り返す。
【０２３３】
また、ステップＳ１で、駐車スペース確保要求を受信してはいないと判別したときには、制御部４０１は、会員カードが挿入されたか否か判別し（ステップＳ５）、挿入されていないと判別したときには、処理をステップＳ１に戻し、このステップＳ１以降を繰り返す。
【０２３４】
そして、ステップＳ３で会員カードが挿入されたと判別したとき、あるいは、ステップＳ５で会員カードが挿入されたと判別したときには、制御部４０１は、駐車スペース進入要求を生成して制御装置２に送信する（ステップＳ４）。次に、制御部４０１は、制御装置２から駐車スペース進入許可通知を受信したか否か判別し（ステップＳ６）、駐車スペース進入許可通知を受信せずに、駐車スペース進入不許可通知を受信したと判別したときには、バー開閉駆動制御機構４２は作動させず（ステップＳ７）、例えば「会員ではないため利用できません」や「他の会員が予約しているため、使用できません」などのアラーム表示やアラーム音により、会員カードを挿入した利用者に報知する（ステップＳ８）。そして、制御部４０１は、挿入されている会員カードを排出し（ステップＳ９）、その後、処理をステップＳ１に戻す。
【０２３５】
また、ステップＳ６で、駐車スペース進入許可通知を受信したと判別したときには、制御部４０１は、挿入された会員カードを排出し（ステップＳ１０）、バー開閉駆動制御機構４２を作動させて、駐車スペース進入制御バー４１を回動させて開状態にし、車両進入許可状態にする（ステップＳ１１）。そして、制御部４０１は、駐車スペース９への車両の進入を確認した後、バー開閉駆動制御機構４２を作動させて駐車スペース進入制御バー４１を閉状態に戻す（ステップＳ１２）。
【０２３６】
次に、制御部４０１は、会員カードが挿入されるのを待ち（ステップＳ１３）、会員カードが挿入されたと判別したときには、会員ＩＤと蓄積遊技ポイント数とを含む駐車スペース退出要求を生成して制御装置２に送信する（図１４のステップＳ２１）。次に、制御部４０１は、駐車スペース退出不許可通知を受信したか否か判別し（ステップＳ２２）、駐車スペース退出不許可通知を受信したと判別したときには、バー開閉駆動制御機構４２は作動させず（ステップＳ２３）、例えば「他の会員が利用している駐車スペースですので、退出許可できません」などのアラーム表示やアラーム音により、会員カードを挿入した利用者に報知する（ステップＳ２４）。そして、制御部４０１は、挿入されている会員カードを排出し（ステップＳ２５）、その後、処理をステップＳ１に戻す。
【０２３７】
ステップＳ２２で、駐車スペース退出不許可通知を受信してはいないと判別したときには、制御部４０１は、制御装置２から残ポイント数、不足金額を受信したか否か判別し（ステップＳ２６）、残ポイント数、不足金額を受信してはいないと判別したときには、処理をステップＳ２２に戻し、このステップＳ２２以降の処理を繰り返す。
【０２３８】
ステップＳ２６で、制御装置２から残ポイント数、不足金額を受信したと判別したときには、制御部４０１は、ゼロではない不足金額があるかいなか判別し（ステップＳ２８）、不足金額があると判別したときには、不足金額の投入受け入れを待ち（ステップＳ２９）、不足金額の投入受け入れを確認した後、会員カードを排出する（ステップＳ３０）。ステップＳ２８で、不足金額はゼロであると判別したときには、制御部４０１は、ステップＳ２９をバイパスして、ステップＳ３０に進み、会員カードを排出する。そして、制御部４０１は、ステップＳ３１に進んで、駐車スペース退出許可通知の受信を確認する。
【０２３９】
そして、ステップＳ３１で、駐車スペース退出許可通知の受信を確認できたときには、バー開閉駆動制御機構４２を作動させて、車両の駐車スペース９からの退出を許可する状態とするため車両進入制御バー４１を開状態にする（ステップＳ３２）。そして、制御部４０１は、駐車スペース９からの車両の退出を確認した後、バー開閉駆動制御機構４２を作動させて駐車スペース進入制御バー４１を閉状態に戻し（ステップＳ３３）、その後、処理をステップＳ１に戻し、このステップＳ１以降の処理を繰り返す。
【０２４０】
［充電装置１での処理例；図１５〜図１６］
図１５〜図１６は、充電装置１における処理動作例を説明するためのフローチャートである。なお、以下の説明においては、図４に示した充電装置１の構成における充電状況判断部１０４、受信信号解析部１０６、送信信号生成部１０７のそれぞれの処理機能は、制御部１０１が、そのソフトウエアプログラムによる実行する機能として実行する場合としている。
【０２４１】
先ず、制御部１０１は、カードリード・ライタ１２の読み取り出力を監視して、会員カードがカードリーダ・ライタ１２にかざされるのを待つ（ステップＳ４１）。ステップＳ４１で、会員カードがカードリーダ・ライタ１２にかざされたと判別したときには、制御部１０１は、カードリーダ・ライタ１２からの会員カードの読み取り出力から、会員ＩＤを読み込む（ステップＳ４２）。
【０２４２】
そして、制御部１０１は、充電プラグ１４を電気自動車の充電用コネクタへの接続を促すメッセージをＬＣＤ１１の画面に表示する（ステップＳ４３）。次に、制御部１０１は、充電プラグ接続検出部１０３の接続検出出力を監視して、充電プラグ１４が電気自動車の充電用コネクタに接続されるのを待つ（ステップＳ４４）。
【０２４３】
そして、ステップＳ４４で、充電プラグ１４が電気自動車の充電用コネクタに接続されたと判別したときには、制御部１０１は、ステップＳ４２で読み込んだ会員ＩＤと、自充電装置ＩＤとを含む充電要求通知を生成して、制御装置２に無線ＬＡＮ４を通じて送信する。そして、制御部１０１は、充電開始待機状態になる（ステップＳ４５）。
【０２４４】
次に、制御部１０１は、制御装置２からの充電開始指示の受信を待ち（ステップＳ４６）、充電開始指示を受信したと判別したときには、制御部１０１は、充電回路部１０２を制御して電気自動車のバッテリーへの充電を開始する（ステップＳ４７）。
【０２４５】
次に、制御部１０１は、充電状況通知タイミングであるか否か判別する（ステップＳ４８）。充電状況通知タイミングであるかどうかは、充電開始を起点とした一定周期のタイミングになったか、あるいは、充電量が予め定められた所定量になったか否かにより判別される。
【０２４６】
このステップＳ４８において、充電状況通知タイミングであると判別したときには、制御部１０１は、充電状況判断部１０４の判断結果を用いて充電状況を検知して、それに基づく充電状況通知を生成し、無線ＬＡＮ４を通じて制御装置２に送信する（ステップＳ４９）。そして、制御部１０１は、充電状況判断部１０４の判断結果から充電が完了をしているか否か判別する（図１６のステップＳ５１）。ステップＳ４８で、充電状況通知タイミングではないと判別したときには、制御部１０１は、ステップＳ４９をバイパスして、ステップＳ５１に進む。
【０２４７】
このステップＳ５１で、充電が完了したと判別したときには、制御部１０１は、充電完了通知を無線ＬＡＮ４を通じて制御装置２に送信する（ステップＳ５２）。そして、制御部１０１は、制御装置２から送られてくる充電終了指示の受信を待ち（ステップＳ５３）、充電終了指示を受信したら、充電回路部１０２を制御して充電を停止させて充電を終了させ、次の充電要求を受け付け可能にするために充電装置１をリセットする（ステップＳ５４）。
【０２４８】
そして、制御部１０１は、充電プラグ１４が電気自動車の充電用コネクタから外されるのを待ち（ステップＳ５５）、充電プラグ１４が電気自動車の充電用コネクタから外されたことを確認すると、充電プラグ接続解除通知を無線ＬＡＮ４を通じて制御装置２に送信する（ステップＳ５６）。そして、制御部１０１は、ステップＳ４１に処理を戻し、このステップＳ４１以降の処理を繰り返す。
【０２４９】
また、ステップＳ５１で、充電が完了してはいないと判別したときには、制御部１０１は、充電プラグ１４が外されたか否かを判別する（ステップＳ５７）。これは、充電完了してはいないが、会員が帰宅等のため、充電を中止するために充電プラグ１４が外される場合を想定している。このステップＳ５７で、充電プラグ１４が外されてはいないと判別したときには、制御部１０１は、処理をステップＳ４８に戻し、このステップＳ４８以降の処理を繰り返す。
【０２５０】
ステップＳ５７で充電プラグ１４が外されたと判別したときには、制御部１０１は、充電回路部１０２を制御して充電を停止させて充電を終了させ、次の充電要求を受け付け可能にするために充電装置１をリセットする（ステップＳ５８）。そして、制御部１０１は、充電プラグ接続解除通知を無線ＬＡＮ４を通じて制御装置２に送信し（ステップＳ５６）、その後、ステップＳ４１に処理を戻し、このステップＳ４１以降の処理を繰り返す。
【０２５１】
［パチンコ台ユニット３２の処理例；図１７〜図１８］
図１７は、パチンコ台ユニット３２における処理動作例を説明するためのフローチャートである。以下の説明においては、図５に示したパチンコ台ユニット３２の構成における受信信号処理部３０３、送信信号生成部３０４のそれぞれの処理機能は、制御部３０１が、そのソフトウエアプログラムによる実行する機能として実行する場合としている。
【０２５２】
パチンコ台ユニット３２の制御部３０１は、会員カードがカード挿入口３３から挿入されたか否かを、カードリーダ・ライタ３０７の出力を監視することにより監視する（ステップＳ６１）。このステップＳ６１で、会員カードがカード挿入口３３から挿入されたと判別したときには、制御部３０１は、カードリーダ・ライタ３０７からの会員カードの読み取り出力から、会員ＩＤを読み込む（ステップＳ６２）。そして、制御部３０１は、当該会員ＩＤと、自ユニットＩＤとを含めた会員カード挿入通知を生成し、有線ＬＡＮ５を通じて制御装置２に送信する（ステップＳ６３）。
【０２５３】
次に、制御部３０１は、制御装置２から充電中表示情報を受信したか否か判別する（ステップＳ６４）。このステップＳ６４で、充電要求キャンセル表示情報を受信したと判別したときには、制御部３０１は、「充電中」の表示を、ＬＣＤ３４の表示画面に表示させる（ステップＳ６５）。
【０２５４】
次に、ステップＳ６４で、充電中表示情報を受信してはいないと判別したときには、制御部３０１は、玉流れ検出部３０６の玉流れ検出出力を監視することにより、パチンコ台の盤面にパチンコ玉が流れているか否かを判別する（ステップＳ６６）。このステップＳ６６で、パチンコ玉が流れていると判別したときには、制御部３０１は、会員ＩＤと自ユニットＩＤとを含めた遊技中情報を生成して、有線ＬＡＮ５を通じて制御装置２に送信する（ステップＳ６７）。
【０２５５】
また、ステップＳ６６で、パチンコ玉が流れていないと判別したときには、制御部３０１は、会員ＩＤと自ユニットＩＤとを含めた非遊技中情報を生成して、有線ＬＡＮ５を通じて制御装置２に送信する（ステップＳ６８）。
【０２５６】
そして、制御部３０１は、ステップＳ６７またはステップＳ６８の次には、図１８のステップＳ７１に進み、制御装置２から充電開始表示情報または充電状況表示情報を受信したか否か判別する。このステップＳ７１で、充電開始表示情報または充電状況表示情報を受信したと判別したときには、制御部３０１は、ＬＣＤ３４の画面に充電開始表示し、または、充電状況を表示する（ステップＳ７２）。次いで、制御部３０１は、充電完了時表示情報を受信したか否か判別する（ステップＳ７３）。ステップＳ７１で、充電開始表示情報または充電状況表示情報を受信してはいないと判別したときにも、制御部３０１は、ステップＳ７３に飛んで、充電完了時表示情報を受信したか否か判別する。
【０２５７】
このステップＳ７３で、充電完了時表示情報を受信したと判別したときには、制御部３０１は、充電を完了した旨と、充電装置１が設置されている駐車スペースから車両の移動を会員に依頼するメッセージを、ＬＣＤ３４の表示画面に表示させる（ステップＳ７４）。そして、制御部３０１は、ステップＳ７５に進む。また、ステップＳ７４で、充電完了時表示情報を受信してはいないと判別したときにも、制御部３０１は、ステップＳ７５に進む。
【０２５８】
ステップＳ７５においては、制御部３０１は、会員が会員カードを取り出すための操作をしたか否かを判別する。そして、このステップＳ７５で、会員が会員カードを取り出すための操作をしてはいないと判別したときには、制御部３０１は、処理をステップＳ６６に戻し、このステップＳ６６の以降の処理を繰り返す。
【０２５９】
また、ステップＳ７５で、会員が会員カードを取り出すための操作をしたと判別したときには、制御部３０１は、制御装置２に会員カード取出要求を送信する（ステップＳ７６）。そして、制御部３０１は、制御装置２から送られてくる遊技ポイント数の情報の受信を待つ（ステップＳ７７）。
【０２６０】
そして、制御部３０１は、ステップＳ７７で、制御装置２からの遊技ポイント数の情報の受信したことを判別すると、カードリーダ・ライタ３０７により、受信した遊技ポイント数を会員カードにそれまでに蓄積されていた遊技ポイント数に加算されて蓄積されるように遊技ポイント数を会員カードに書き込む（ステップＳ７８）。この遊技ポイント数の蓄積書き込みが終了すると、制御部３０１は、会員カードを排出するように制御する（ステップＳ７９）。
【０２６１】
次いで制御部３０１は、会員カードが排出されたことを示す会員カード取出通知（会員ＩＤおよび自ユニットＩＤを含む）を制御装置２に有線ＬＡＮ５を通じて送信する（ステップＳ８０）。そして、この処理ルーチンを終了する。
【０２６２】
［制御装置２での処理例；図１９〜図３４］
制御装置２は、駐車スペース確保装置４から送られてくる通知情報、充電装置１から送られてくる通知情報およびパチンコ台ユニット３２から送られてくる通知情報を常時監視し、それぞれの情報を受信したときに対応する処理を実行する。図１９〜図２１は、制御装置２の処理動作の全体の流れの例を示すフローチャートである。また、図２２〜図３４は、図１９〜図３４に示した処理ステップの処理内容の例を示すフローチャートである。
【０２６３】
なお、以下の説明においては、図６に示した制御装置２の構成における無線受信信号解析部２０３、充電制御指示生成部２０４、充電装置管理部２０５、有線受信信号解析部２０７、表示通知情報生成部２０８、充電予約処理部２１１、駐車スペース利用管理部２１２、遊技ポイント計測部２１３のそれぞれの処理機能は、制御部２０１が、そのソフトウエアプログラムによる実行する機能として実行する場合としている。
【０２６４】
制御装置２の制御部２０１は、先ず、携帯電話端末８などの通信端末から通信ネットワーク７を通じた予約アクセスを受信したか否か判別し（ステップＳ８１）、通信端末からの予約アクセスを受信したと判別したときには、予約アクセスの受信時処理を実行する（ステップＳ８２）。
【０２６５】
図２２は、このステップＳ８２における通信端末からの予約アクセスの受信時処理の例を示すフローチャートである。
【０２６６】
制御部２０１は、通信端末からの予約アクセスを受信すると、当該予約アクセスに含まれる会員ＩＤを取得して登録された会員であるかどうかの認証を、会員登録情報管理部２０９に登録されている会員ＩＤを参照することにより行う（ステップＳ１１１）。このステップＳ１１１で、会員認証ができなかったときには、制御部２０１は、予約アクセスを送ってきた通信端末に対して会員認証ＮＧを送信し（ステップＳ１１２）、この処理ルーチンを終了する。
【０２６７】
また、ステップＳ１１１で、会員認証がＯＫであったときには、制御部２０１は、充電装置の空き情報を含む予約用画面を通信端末に送信する（ステップＳ１１３）。そして、制御部２０１は、通信端末からの予約要求の受信を監視し（ステップＳ１１４）、予約要求を受信していないと判別したときには、通信端末から終了操作（中止操作）情報を受信したか否か判別する（ステップＳ１１５）。このステップＳ１１５で、通信端末から終了操作（中止操作）情報を受信してはいないと判別したときには、制御部２０１は、処理をステップＳ１１４に戻し、このステップＳ１１４以降の処理を繰り返す。また、ステップＳ１１５で、通信端末から終了操作（中止操作）情報を受信したと判別したときには、制御部２０１は、この処理ルーチンを終了する。
【０２６８】
ステップＳ１１４で、通信端末から予約要求を受信したと判別したときには、制御部２０１は、充電予約管理テーブルに、予約要求をしてきた会員ＩＤに対応付けて予約番号を登録する（ステップＳ１１６）。次に、制御部２０１は、駐車スペースおよび充電装置の空きがあるか否か判別し（ステップＳ１１７）、空きがあると判別したときには、充電予約する駐車スペースの駐車スペース確保装置４に、駐車スペース確保要求を送信する（ステップＳ１１８）。
【０２６９】
ステップＳ１１８の次には、制御部２０１は、充電予約管理テーブルにおいて、空きの充電装置ＩＤおよび対応する駐車スペース確保装置４の装置ＩＤを、ステップＳ１１６で登録した予約番号の会員ＩＤに対応付けて登録し、その予約番号の管理項目「予約遂行状況」に「予約設定済」を登録する（ステップＳ１１９）。次に、制御部２０１は、予約アクセスしてきた通信端末に、予約設定した駐車スペース番号および充電装置番号を通知する（ステップＳ１２０）。そして、この処理ルーチンを終了する。
【０２７０】
また、ステップＳ１１７で、駐車スペースおよび充電装置に空きがないと判別したときには、制御部２０１は、充電予約管理テーブルにおいて、ステップＳ１１６で登録した予約番号の管理項目「充電装置ＩＤ」および「駐車スペース確保装置ＩＤ」に「未設定」を登録すると共に、管理項目「予約遂行状況」に「予約設定待ち」を登録する（ステップＳ１２１）。そして、この処理ルーチンを終了する。
【０２７１】
以上のようなステップＳ８２の処理終了後、制御部２０１は、処理をステップＳ８１に戻す。
【０２７２】
次に、説明を図１９のフローチャートに戻すと、ステップＳ８１で、通信端末からの予約アクセスを受信してはいないと判別したときには、制御部２０１は、駐車スペース確保装置４からの駐車スペース進入要求を受信したか否か判別し（ステップＳ８３）、駐車スペース進入要求を受信したと判別したときには、駐車スペース進入要求の受信時処理を実行する（ステップＳ８４）。そして、このステップＳ８４の処理終了後、制御部２０１は、処理をステップＳ８１に戻す。
【０２７３】
図２３は、このステップＳ８４における駐車スペース進入要求の受信時処理の例を示すフローチャートである。
【０２７４】
制御部２０１は、駐車スペース進入要求を受信すると、それに含まれている会員ＩＤと駐車スペース確保装置４の装置ＩＤとを抽出して取得する（ステップＳ１３１）。そして、取得した会員ＩＤについての会員認証を、会員登録情報管理部２０９に登録されている会員ＩＤを参照することにより行い、会員認証がＯＫであるか否か判別する（ステップＳ１３２）。このステップＳ１３２で、会員認証がＯＫではなかったときには、制御部２０１は、駐車スペース進入要求を送ってきた駐車スペース確保装置４に対して、会員認証ＮＧおよび駐車スペース進入不許可通知を送信し（ステップＳ１３３）、この処理ルーチンを終了する。なお、会員認証ＮＧの情報を受信した駐車スペース確保装置４は、例えば「会員ではないため利用できません」というアラームを報知する。
【０２７５】
ステップＳ１３２で、会員認証がＯＫであったときには、制御部２０１は、充電予約管理テーブルにおいて「予約設定状況」が「予約設定済」となっている予約番号についての管理項目「会員ＩＤ」および「駐車スペース確保装置ＩＤ」と取得した会員ＩＤおよび駐車スペース確保装置ＩＤとを比較参照し（ステップＳ１３４）、予約されている駐車スペース確保装置４からの駐車スペース進入要求であるか否か判別する（ステップＳ１３５）。
【０２７６】
このステップＳ１３５で、予約されている駐車スペース確保装置４からの駐車スペース進入要求ではないと判別したときには、制御部２０１は、駐車スペース進入要求を送ってきた駐車スペース確保装置４に、駐車スペース進入許可通知を送る（ステップＳ１３８）。そして、制御部２０１は、充電装置管理テーブルにおいて、駐車スペース進入許可通知を送った駐車スペース確保装置４に対応する充電サービス番号の会員ＩＤとして、ステップＳ１３１で取得した会員ＩＤを登録する（ステップＳ１３９）。そして、この処理ルーチンを終了する。
【０２７７】
また、ステップＳ１３５で、予約されている駐車スペース確保装置４からの駐車スペース進入要求であると判別したときには、制御部２０１は、充電予約管理テーブルにおいて予約されている駐車スペース確保装置４に対応する会員ＩＤと、駐車スペース進入要求から取得した会員ＩＤとを比較して（ステップＳ１３６）、両者が一致しているか否か判別する（ステップＳ１３７）。
【０２７８】
このステップＳ１３７での判別の結果、両会員ＩＤが一致してはいないと判別したときには、制御部２０１は、駐車スペース進入要求を送ってきた駐車スペース確保装置４に、予約有りの情報と駐車スペース進入不許可通知を送信し（ステップＳ１４０）、この処理ルーチンを終了する。なお、予約有りの情報を受信した駐車スペース確保装置４は、例えば「他の会員が予約中であるため利用できません」というアラームを報知する。
【０２７９】
また、ステップＳ１３７での判別の結果、両会員ＩＤが一致していると判別したときには、制御部２０１は、駐車スペース進入要求を送ってきた駐車スペース確保装置４に、駐車スペース進入許可通知を送る（ステップＳ１３８）。次いで、制御部２０１は、充電予約管理テーブルの前記一致した会員ＩＤの予約番号の管理項目「予約遂行状況」を「予約実行」に変更すると共に、充電装置管理テーブルにおいて、駐車スペース進入許可通知を送った駐車スペース確保装置４に対応する充電サービス番号の会員ＩＤとして、ステップＳ１３１で取得した会員ＩＤを登録する（ステップＳ１３９）。そして、この処理ルーチンを終了する。
【０２８０】
次に、説明を図１９のフローチャートに戻すと、ステップＳ８３で、駐車スペース確保装置４からの駐車スペース進入要求を受信してはいないと判別したときには、制御部２０１は、充電装置１からの充電要求通知を受信したか否か判別し（ステップＳ８５）、充電要求通知を受信したと判別したときには、充電要求通知の受信時処理を実行する（ステップＳ８８）。そして、このステップＳ８６の処理終了後、制御部２０１は、処理をステップＳ８１に戻す。
【０２８１】
図２４は、このステップＳ８６における充電要求通知の受信時処理の例を示すフローチャートである。
【０２８２】
制御部２０１は、充電装置から充電要求通知を受信すると、それに含まれている会員ＩＤと充電装置ＩＤとを抽出して取得する（ステップＳ１５１）。そして、充電装置管理テーブルにおいて、取得した充電装置ＩＤの充電サービスについて登録されている会員ＩＤと、ステップＳ１５１で取得した会員ＩＤとを比較し（ステップＳ１５２）、両会員ＩＤが一致しているか否か判別する（ステップＳ１５３）。
【０２８３】
このステップＳ１５３での判別の結果、両会員ＩＤが一致してはいないと判別したときには、制御部２０１は、充電要求通知を送ってきた充電装置１に、充電不許可通知を送信し（ステップＳ１５９）、この処理ルーチンを終了する。なお、充電不許可通知を受信した充電装置１は、例えば「会員ＩＤ不一致であるため利用できません」というアラームを報知する。
【０２８４】
また、ステップＳ１５３での判別の結果、両会員ＩＤが一致していると判別したときには、制御部２０１は、充電開始指示を生成して、充電装置１に送信する（ステップＳ１５４）。次に、制御部２０１は、ステップＳ１５１で取得した充電装置ＩＤに対応付けた充電時間タイマーをセットし、その充電時間計測をスタートさせる（ステップＳ１５５）。
【０２８５】
次に、制御部２０１は、充電装置管理テーブルの「充電ステータス」を、「充電中」にする（ステップＳ１５６）。そして、制御部２０１は、ステップＳ１５１で取得した会員ＩＤが充電予約管理テーブルに登録されているか否か判別し（ステップＳ１５７）、登録されていなければ、この処理ルーチンをそのまま終了する。また、ステップＳ１５７で、ステップＳ１５１で取得した会員ＩＤが充電予約管理テーブルに登録されていると判別したときには、制御部２０１は、当該会員ＩＤが登録されている予約番号の管理項目「予約遂行状況」を「予約実行」にする（ステップＳ１５８）。そして、この処理ルーチンを終了する。
【０２８６】
次に、説明を図１９のフローチャートに戻すと、ステップＳ８５で、充電装置１からの充電要求通知を受信してはいないと判別したときには、制御部２０１は、パチンコ台ユニット３２から会員カード挿入通知を受信したか否か判別し（ステップＳ８７）、会員カード挿入通知を受信したと判別したときには、会員カード挿入通知の受信時処理を実行する（ステップＳ８８）。そして、このステップＳ８８の処理終了後、制御部２０１は、処理をステップＳ８１に戻す。
【０２８７】
図２５は、このステップＳ８８におけるパチンコ台ユニット３２からの会員カード挿入通知の受信時処理の例を示すフローチャートである。
【０２８８】
制御部２０１は、会員カード挿入通知を受信すると、当該会員カード挿入通知に含まれるパチンコ台ユニット３２のユニットＩＤと会員ＩＤを取得する（ステップＳ１６１）。そして、制御部２０１は、ステップＳ１６１で取得した会員ＩＤとユニットＩＤとに対応付けた遊技中タイマーをセットし、その時間計測を準備させる（ステップＳ１６２）。
【０２８９】
次に、制御部２０１は、ステップＳ１６１で取得した会員ＩＤが充電装置管理テーブルに登録されているか否か判別し（ステップＳ１６３）、会員ＩＤが充電装置管理テーブルに登録されていると判別したときには、当該会員ＩＤが登録されている充電サービス番号についての管理項目「ユニットＩＤ」に、ステップＳ１６１で取得したユニットＩＤを登録する（ステップＳ１６４）。次に、制御部２０１は、充電中表示情報を生成して、会員カード挿入通知を送ってきたパチンコ台ユニット３２に送信する（ステップＳ１６５）。そして、この処理ルーチンを終了する。
【０２９０】
ステップＳ１６３で、会員ＩＤが充電装置管理テーブルに登録されていないと判別したときには、会員ＩＤが充電予約管理テーブルに登録されているか否か判別する（ステップＳ１６７）。次に、制御部２０１は、充電予約中表示情報を生成して、会員カード挿入通知を送ってきたパチンコ台ユニット３２に送信する（ステップＳ１６５）。そして、この処理ルーチンを終了する。
【０２９１】
図１９に戻って、ステップＳ８７で、パチンコ台ユニット３２から会員カード挿入通知を受信してはいないと判別したときには、制御部２０１は、パチンコ台ユニット３２から充電予約要求を受信したか否か判別し（図２０のステップＳ９１）、パチンコ台ユニット３２から充電予約要求を受信したと判別したときには、パチンコ台ユニット３２から充電予約要求の受信時処理を実行する（ステップＳ９２）。そして、このステップＳ９２の処理終了後、制御部２０１は、処理をステップＳ８１に戻す。
【０２９２】
図２６は、このステップＳ９２におけるパチンコ台ユニット３２からの充電予約要求の受信時処理の例を示すフローチャートである。
【０２９３】
制御部２０１は、パチンコ台ユニット３２からの充電予約要求を受信すると、当該充電予約要求に含まれるパチンコ台ユニット３２のユニットＩＤと会員ＩＤを取得する（ステップＳ１７１）。次に、制御部２０１は、受信した充電予約要求に予約番号を付与して充電予約管理テーブルに登録し、その予約番号について管理項目「ユニットＩＤ」および「会員ＩＤ」として、ステップＳ１７１で取得したユニットＩＤと会員ＩＤとを登録する（ステップＳ１７２）。
【０２９４】
次に、制御部２０１は、充電装置管理テーブルを参照して、充電装置および駐車スペースの空きがあるか否か判別する（ステップＳ１７３）。このステップＳ１７３で、充電装置および駐車スペースの空きがないと判別したときには、制御部２０１は、充電予約管理テーブルに登録した予約番号についての管理項目「予約遂行状況」に「予約設定待ち」を登録する（ステップＳ１７７）。そして、この処理ルーチンを終了する。
【０２９５】
また、ステップＳ１７３で、充電装置および駐車スペースの空きがあると判別したときには、制御部２０１は、予約する空きの充電装置および駐車スペースを決定し、その決定した駐車スペースの駐車スペース確保装置４に駐車スペース確保要求を送信する（ステップＳ１７４）。そして、制御部２０１は、充電予約要求してきたパチンコ台ユニット３２に、決定した空きの充電装置番号および駐車スペース番号を通知する（ステップＳ１７５）。次に、制御部２０１は、充電予約管理テーブルに登録した予約番号についての管理項目「充電装置ＩＤ」および「駐車スペース確保装置ＩＤ」として、予約した空きの充電装置の充電装置ＩＤおよび対応する駐車スペース確保装置４の装置ＩＤを登録すると共に、管理項目「予約遂行状況」に「予約設定済」を登録する（ステップＳ１７６）。そして、この処理ルーチンを終了する。
【０２９６】
次に、説明を図２０のフローチャートに戻すと、ステップＳ９１で、パチンコ台ユニット３２から充電予約要求を受信してはいないと判別したときには、制御部２０１は、遊技中情報を受信したか否か判別し（ステップＳ９３）、遊技中情報を受信したと判別したときには、遊技中情報の受信時処理を実行する（ステップＳ９４）。そして、このステップＳ９４の処理終了後、制御部２０１は、処理をステップＳ８１に戻す。
【０２９７】
図２７は、このステップＳ９４における遊技中情報の受信時処理の例を示すフローチャートである。
【０２９８】
制御部２０１は、遊技中情報を受信すると、当該遊技中情報に含まれるパチンコ台ユニット３２のユニットＩＤおよび会員ＩＤを取得する（ステップＳ１８１）。そして、制御部２０１は、ステップＳ１８１で取得したユニットＩＤおよび会員ＩＤに対応する遊技中タイマーが既にセットされているか否か判別する（ステップＳ１８２）。受信した遊技中情報が会員カード挿入通知後の最初の遊技中情報である場合には、遊技中タイマーはセットされていない。
【０２９９】
ステップＳ１８２で、遊技中タイマーがセットされていないと判別したときには、制御部２０１は、ユニットＩＤおよび会員ＩＤに対応付けた遊技中タイマーをセットし（ステップＳ１８３）、当該セットした遊技中タイマーの時間計測を開始させる（ステップＳ１８４）。そして、この処理ルーチンを終了する。
【０３００】
また、ステップＳ１８２で、遊技中タイマーがセットされていると判別したときには、制御部２０１は、中断していた遊技中タイマーの時間計測を再開させる（ステップＳ１８４）。そして、この処理ルーチンを終了する。
【０３０１】
図２０に戻って、ステップＳ９３で、パチンコ台ユニット３２から遊技中情報は受信してはいないと判別したときには、制御部２０１は、非遊技中情報を受信したか否か判別し（ステップＳ９５）、非遊技中情報を受信したと判別したときには、非遊技中情報の受信時処理を実行する（ステップＳ９６）。
【０３０２】
図２８は、このステップＳ９６における非遊技中情報の受信時処理の例を示すフローチャートである。
【０３０３】
制御部２０１は、非遊技中情報を受信すると、当該非遊技中情報に含まれるパチンコ台ユニット３２のユニットＩＤおよび会員ＩＤを取得する（ステップＳ１９１）。そして、制御部２０１は、ステップＳ１９１で取得したユニットＩＤおよび会員ＩＤに対応付けた遊技中タイマーを検出し、その遊技中タイマーの時間計測を停止させる（ステップＳ１９２）。そして、この処理ルーチンを終了する。
【０３０４】
図２０に戻って、ステップＳ９５で、パチンコ台ユニット３２から非遊技中情報は受信してはいないと判別したときには、制御部２０１は、充電装置１から充電状況通知を受信したか否か判別し（ステップＳ９７）、充電状況通知を受信したと判別したときには、充電状況通知の受信時処理を実行する（ステップＳ９８）。そして、このステップＳ９８の処理終了後、制御部２０１は、処理をステップＳ８１に戻す。
【０３０５】
図２９は、このステップＳ９８における充電状況通知の受信時処理の例を示すフローチャートである。
【０３０６】
制御部２０１は、充電状況通知を受信すると、当該充電状況通知に含まれている充電装置ＩＤを抽出して取得する（ステップＳ２０１）。そして、制御部２０１は、充電装置管理テーブルにおける、取得した充電装置ＩＤの充電サービス番号の管理項目「ユニットＩＤ」から、当該充電サービスを受けている会員が利用中のパチンコ台ユニットのユニットＩＤを判別する（ステップＳ２０２）。次に、制御部２０１は、受信した充電状況通知に応じた充電状況表示情報を生成し、当該充電状況表示情報をステップＳ２０２で判別したパチンコ台ユニット３２に、有線ＬＡＮ５を通じて送信する（ステップＳ２０３）。そして、この図２９の処理ルーチンを終了する。
【０３０７】
図２０に戻って、ステップＳ９７で、充電装置１からの充電状況通知を受信してはいないと判別したときには、制御部２０１は、充電装置１から充電完了通知を受信したか否か判別し（図２１のステップＳ１０１）、充電完了通知を受信したと判別したときには、充電完了通知の受信時処理を実行する（ステップＳ１０２）。このステップＳ１０２の処理終了後、制御部２０１は、処理をステップＳ８１に戻す。
【０３０８】
図３０は、このステップＳ１０２における充電完了通知の受信時処理の例を示すフローチャートである。
【０３０９】
制御部２０１は、充電完了通知を受信すると、当該充電完了通知に含まれている充電装置ＩＤを抽出して取得する（ステップＳ２１１）。そして、制御部２０１は、充電装置管理テーブルにおいて、取得した充電装置ＩＤの充電サービス番号を判別し、その管理項目「充電ステータス」に充電完了を書き込む（ステップＳ２１２）。
【０３１０】
次に、制御部２０１は、充電終了指示を生成して、充電完了通知を送ってきた充電装置１に送信する（ステップＳ２１３）。
【０３１１】
次に、ステップＳ２１１で取得した充電装置ＩＤに対応する充電時間タイマーの計測時間として充電時間を取得し、それを充電装置管理テーブルの管理項目「充電時間」に書き込み、充電時間タイマーはリセットする（ステップＳ２１４）。
【０３１２】
次に、制御部２０１は、充電装置管理テーブルから、ステップＳ２１１で取得した充電装置ＩＤに基づき判別した充電サービス番号の管理項目「ユニットＩＤ」から、当該充電サービス番号の提供を受けている会員が利用中のパチンコ台ユニットのユニットＩＤを判別する（ステップＳ２１５）。次に、制御部２０１は、受信した充電完了通知に応じた充電完了表示情報を生成し、当該充電完了表示情報をステップＳ２１５で判別したパチンコ台ユニット３２に、有線ＬＡＮ５を通じて送信する（ステップＳ２１６）。そして、この図３０の処理ルーチンを終了する。
【０３１３】
図２１に戻って、ステップＳ１０１で、充電装置１からの充電完了通知を受信してはいないと判別したときには、制御部２０１は、充電装置１から充電プラグ接続解除通知を受信したか否か判別し（ステップＳ１０３）、充電プラグ接続解除通知を受信したと判別したときには、充電プラグ接続解除通知の受信時処理を実行する（ステップＳ１０４）。このステップＳ１０４の処理終了後、制御部２０１は、処理をステップＳ８１に戻す。
【０３１４】
図３１は、このステップＳ１０４における充電プラグ接続解除通知の受信時処理の例を示すフローチャートである。
【０３１５】
制御部２０１は、充電プラグ接続解除通知を受信すると、当該充電プラグ接続解除通知に含まれている充電装置ＩＤを抽出して取得する（ステップＳ２２１）。そして、制御部２０１は、充電装置管理テーブルから、取得した充電装置ＩＤの充電サービス番号の「充電ステータス」を参照する（ステップＳ２２２）。そして、制御部２０１は、「充電ステータス」が「充電完了」となっているか否か判別する（ステップＳ２２３）。
【０３１６】
ステップＳ２２３で、「充電完了」となっていないと判別したときには、制御部２０１は、充電終了指示を生成して、充電プラグ接続解除通知を送ってきた充電装置１に送信する（ステップＳ２２４）。次いで、制御部２０１は、充電時間タイマーの計測時間として充電時間を取得して、充電装置管理テーブルに書き込み、充電時間タイマーの計測時間をゼロリセットする（ステップＳ２２５）。そして、この処理ルーチンを終了する。
【０３１７】
また、ステップＳ２２３で、「充電完了」となっていると判別したときには、前述したステップＳ１０２の充電完了通知受信時処理において、充電装置に充電終了指示が送られ、充電時間タイマーの時間計測値の充電時間としての取り込みおよび充電時間タイマーのリセットが終了しているので、そのままこの処理ルーチンを終了する。
【０３１８】
図２１に戻り、ステップＳ１０３で、充電装置１からの充電プラグ接続解除通知を受信してはいないと判別したときには、制御部２０１は、充電装置１から会員カード取出要求を受信したか否か判別し（ステップＳ１０５）、会員カード取出要求を受信したと判別したときには、会員カード取出要求の受信時処理を実行する（ステップＳ１０６）。このステップＳ１０６の処理終了後、制御部２０１は、処理をステップＳ８１に戻す。
【０３１９】
図３２は、ステップＳ１０６における会員カード取出要求通知の受信時処理の例を示すフローチャートである。
【０３２０】
制御部２０１は、会員カード取出要求を受信すると、当該会員カード取出要求に含まれているパチンコ台ユニット３２のユニットＩＤおよび会員ＩＤを抽出して取得する（ステップＳ２３１）。そして、制御部２０１は、ユニットＩＤおよび会員ＩＤに対応付けられた遊技中タイマーの計測時間を遊技中時間として取得し、遊技中タイマーは計測時間をゼロリセットする（ステップＳ２３２）。次に、制御部２０１は、取得した遊技中時間を遊技ポイント数に換算し、会員カード取出要求を送ってきたパチンコ台ユニット３２に送信する（ステップＳ２３３）。
【０３２１】
次に、制御部２０１は、パチンコ台ユニット３２からの会員カード取出通知の受信を待ち（ステップＳ２３４）、会員カード取出通知を受信したら、当該会員カード取出通知に含まれるユニットＩＤおよび会員ＩＤは、充電装置管理テーブルのいずれかの充電サービス番号の管理項目「ユニットＩＤ」および「会員ＩＤ」として登録されているか否か判別する（ステップＳ２３５）。
【０３２２】
このステップＳ２３５で、会員カード取出通知に含まれるユニットＩＤおよび会員ＩＤは、充電装置管理テーブルのいずれかの充電サービス番号の管理項目「ユニットＩＤ」および「会員ＩＤ」として登録されていると判別したときには、制御部２０１は、当該管理項目「ユニットＩＤ」の登録内容を消去する（ステップＳ２３６）。そして、この処理ルーチンを終了する。
【０３２３】
また、ステップＳ２３５で、会員カード取出通知に含まれるユニットＩＤおよび会員ＩＤは、充電装置管理テーブルのいずれかの充電サービス番号の管理項目「ユニットＩＤ」および「会員ＩＤ」として登録されていないと判別したときには、制御部２０１は、ステップＳ２３６をバイパスして、そのままこの処理ルーチンを終了する。
【０３２４】
図２１に戻り、ステップＳ１０５で、パチンコ台ユニット３２からの会員カード取出要求を受信してはいないと判別したときには、制御部２０１は、駐車スペース確保装置４から駐車スペース退出要求を受信したか否か判別し（ステップＳ１０７）、駐車スペース退出要求を受信したと判別したときには、駐車スペース退出要求の受信時処理を実行する（ステップＳ１０８）。このステップＳ１０８の処理終了後、制御部２０１は、処理をステップＳ８１に戻す。
【０３２５】
また、ステップＳ１０７で、駐車スペース退出要求を受信してはいないと判別したときにも、制御部２０１は、処理をステップＳ８１に戻す。
【０３２６】
図３３および図３４は、ステップＳ１０８における駐車スペース退出要求の受信時処理の例を示すフローチャートである。
【０３２７】
制御部２０１は、駐車スペース退出要求を受信すると、当該駐車スペース退出要求に含まれている駐車スペース確保装置４の装置ＩＤと会員ＩＤと蓄積遊技ポイント数を抽出して取得する（ステップＳ２４１）。そして、制御部２０１は、取得した会員ＩＤについての会員認証を、会員登録情報管理部２０９に登録されている会員ＩＤを参照することにより行い、会員認証がＯＫであるか否か判別する（ステップＳ２４２）。このステップＳ２４２で、会員認証がＯＫではなかったときには、制御部２０１は、駐車スペース退出要求を送ってきた駐車スペース確保装置４に対して、会員認証ＮＧおよび駐車スペース進入不許可通知を送信し（ステップＳ２４３）、この処理ルーチンを終了する。なお、会員認証ＮＧの情報を受信した駐車スペース確保装置４は、例えば「会員ではないため利用できません」というアラームを報知する。
【０３２８】
ステップＳ２４２で、会員認証がＯＫであったときには、制御部２０１は、充電予約管理テーブルにおいて、取得した会員ＩＤを管理項目に含む充電サービス番号の管理項目「充電時間」を読み出して取得する（ステップＳ２４４）。そして、制御部２０１は、取得した充電時間を充当する充電料金を遊技ポイント数に換算する（ステップＳ２４５）。
【０３２９】
次に、制御部２０１は、ステップＳ２４１で取得した蓄積遊技ポイント数から、ステップＳ２４５で算出された換算遊技ポイント数を減算して、残遊技ポイント数を算出する（ステップＳ２４６）。そして、算出された残遊技ポイント数が負であるか否か判別し（ステップＳ２４７）、算出された残遊技ポイント数が正であれば、算出された残遊技ポイント数を会員カードに書き込むべき蓄積遊技ポイントとして、駐車スペース退出要求を送ってきた駐車スペース確保装置４に送信する（ステップＳ２４８）。次いで、制御部２０１は、駐車スペース退出許可通知を、駐車スペース退出要求を送ってきた駐車スペース確保装置４に送信する（図３４のステップＳ２６１）。
【０３３０】
また、ステップＳ２４７で、算出された残遊技ポイント数が負であると判別したときには、制御部２０１は、会員カードに蓄積されていた遊技ポイント数では充電料金の全てを充当できず、ステップＳ２４６で算出された残遊技ポイント数分が必要である判断して、不足遊技ポイント数である当該残遊技ポイント数を不足金額に換算し、会員カードに書き込むべき蓄積遊技ポイント数としてゼロを送信すると共に、換算して算出した不足金額を駐車スペース確保装置４に送信する（ステップＳ２４９）。
【０３３１】
次に、制御部２０１は、駐車スペース確保装置４から送られてくる現金投入確認通知を待ち（ステップＳ２５０）、当該現金投入確認通知を受信したら、駐車スペース退出許可通知を、駐車スペース退出要求を送ってきた駐車スペース確保装置４に送信する（図３４のステップＳ２６１）。
【０３３２】
ステップＳ２６１の次には、制御部２０１は、充電装置管理テーブルにおいて、駐車スペース退出要求を送ってきた駐車スペース確保装置４および対応する充電装置についての充電サービス番号の管理項目を削除する。そして、管理項目「充電ステータス」は「空き」にする（ステップＳ２６２）。
【０３３３】
次に、制御部２０１は、充電予約管理テーブル中に、管理項目「予約遂行状況」が「予約設定待ち」になっている予約番号があるか否か判別する（ステップＳ２６３）。このステップＳ２６３で、充電予約管理テーブル中に、管理項目「予約遂行状況」が「予約設定待ち」になっている充電予約が無いと判別したときには、制御部２０１は、この処理ルーチンをそのまま終了する。
【０３３４】
また、ステップＳ２６３で、充電予約管理テーブル中に、管理項目「予約遂行状況」が「予約設定待ち」になっている予約番号があると判別したときには、それが一つであれば、その予約番号の充電予約に、また、該当する充電予約が複数個あるときには、そのうちの最も早い予約番号の充電予約に、空いた充電装置および駐車スペース確保装置を予約設定し、その予約番号の管理項目「予約遂行状況」を「予約設定済」に変更する（ステップＳ２６４）。次に、制御部２０１は、予約設定をした駐車スペース確保装置４に、駐車スペース確保要求を送信する（ステップＳ２６５）。
【０３３５】
次に、制御部２０１は、ステップＳ２６４で予約設定した予約番号についての管理項目「ユニットＩＤ」に、ユニットＩＤが登録されているか否か判別する（ステップＳ２６６）。ステップＳ２６６で、ユニットＩＤが登録されていると判別したときには、制御部２０１は、そのユニットＩＤのパチンコ台ユニット３２に、予約設定した充電装置番号および駐車スペース番号を通知する。このとき、携帯電話端末のメールアドレスも登録されていれば、当該メールアドレス宛にも、予約設定した充電装置番号および駐車スペース番号を通知する（ステップＳ２６７）。
【０３３６】
また、ステップＳ２６６で、ユニットＩＤが登録されていないと判別したときには、制御部２０１は、予約設定した予約番号の充電予約について登録されている携帯電話端末のメールアドレス宛に、予約設定した充電装置番号および駐車スペース番号を通知する（ステップＳ２６８）。なお、充電予約管理テーブルに予約設定した予約番号について携帯電話端末のメールアドレスも登録されていないときには、会員登録情報を参照し、そこに携帯電話端末のメールアドレスが登録されていれば、そのメールアドレス宛に、予約設定した充電装置番号および駐車スペース番号を通知してもよい。また、前述もしたように、後で、ユニットＩＤが登録されたら、そのユニットＩＤのパチンコ台ユニット３２に通知するようにしても良い。
【０３３７】
制御部２０１は、ステップＳ２６７およびステップＳ２６８の処理の終了後、この処理ルーチンを終了する。
【０３３８】
なお、上述の第１の実施形態は、充電装置および充電スペースが複数の場合について説明したが、充電装置および充電スペースは単独の場合であっても、この発明は適用可能である。
【０３３９】
［第２の実施形態］
上述した第１の実施形態では、充電装置は一つの充電プラグしか備えていなかった。これに対して、この第２の実施形態では、一つの充電装置に対して複数個の充電プラグを接続し、充電装置は、これら複数個の充電プラグのうちから選択した一つの充電プラグに対して充電を実行する。そして、充電プラグ毎に、駐車スペースを設けると共に、それぞれの駐車スペースに対して駐車スペース確保装置を設ける。
【０３４０】
図３５は、この第２の実施形態の充電サービス予約システムの構成例の概要を示すものである。この例では、複数個の充電プラグ１４１，１４２，・・・，１４ｋ（ｋは２以上の整数）を備える充電装置１０を設ける。各充電プラグ１４１，１４２，・・・，１４ｋには、充電プラグＩＤを付与して区別する。
【０３４１】
そして、複数個の充電プラグ１４１，１４２，・・・，１４ｋのそれぞれに対して、駐車スペース９１，９２，・・・，９ｋを設けると共に、各駐車スペース９１，９２，・・・，９ｋに対して駐車スペース確保装置４１，４２，・・・，４ｋを設ける。そして、充電装置１０と、各駐車スペース確保装置４１，４２，・・・，４ｋは、第１の実施形態と同様に、制御装置２と無線ＬＡＮ５を通じて接続される構成とされている。その他は、図１に示した構成と同様である。
【０３４２】
なお、図３５では、充電装置１０は１個のみを示したが、複数個の充電装置１０を設け、各充電装置１０のそれぞれの複数個の充電プラグ１４１，１４２，・・・，１４ｋのそれぞれに対して、複数個の駐車スペース９１，９２，・・・，９ｋを設けると共に駐車スペース確保装置４１，４２，・・・，４ｋを設けてももちろん良い。
【０３４３】
駐車スペース確保装置４１，４２，・・・，４ｋのそれぞれの構成は、第１の実施形態の駐車スペース確保装置４と全く同様である。また、制御装置２およびパチンコ台ユニット３２のハードウエア構成も、第１の実施形態の場合と同様である。
【０３４４】
図３６は、この第２の実施形態の充電装置１０のハードウエア構成例を示すブロック図である。この図３６において、図４に示した第１の実施形態の充電装置１と同一部分には、同一番号を付してある。
【０３４５】
この第２の実施形態の充電装置１０では、充電回路１０２の出力端と、複数個の充電プラグ１４１，１４２，・・・，１４ｋとのそれぞれとを選択的に切り替え接続するために充電プラグ切替回路１１０を設ける。制御部１０１は、後述するように、充電予約された順番に、充電プラグを切り替えるように、この充電プラグ切替回路１１０を切替制御する。
【０３４６】
この第２の実施形態の充電装置の充電プラグ接続検出部１０３０は、複数個の充電プラグ１４１，１４２，・・・，１４ｋのそれぞれに対する電気自動車の充電用コネクタの接続を検出する。そして、充電プラグ接続検出部１０３０は、電気自動車の充電用コネクタに接続された充電プラグが、複数個の充電プラグ１４１，１４２，・・・，１４ｋのどれであるかを、充電プラグＩＤにより検出する。そして、充電プラグ接続検出部１０３０は、上記の検出出力をシステムバス１００に出力する。
【０３４７】
充電状況判断部１０４０は、制御部１０１の制御に従い、充電が実施されている充電プラグに接続されている電気自動車のバッテリーの充電状況を判断するようにする。充電装置１０のその他の構成は、第１の実施形態の充電装置１と同様である。
【０３４８】
そして、この第２の実施形態の充電装置１０は、自充電装置ＩＤのみでなく、充電プラグＩＤを記憶する充電装置ＩＤおよび充電プラグＩＤ記憶部１０８０を備える。
【０３４９】
制御装置２のハードウエア構成は、第１の実施形態と同様であるが、充電装置管理テーブルの管理項目内容および充電予約管理テーブルの管理項目内容が、第１の実施形態と異なる。なお、この第２の実施形態では、充電時間タイマーは、充電装置ＩＤおよび会員ＩＤのみではなく、充電プラグＩＤに対応付けてセットされるものである。
【０３５０】
図３７は、この第２の実施形態における充電装置管理テーブルの一例である。第１の実施形態では、各充電サービス番号は、充電装置ＩＤと駐車スペース確保装置ＩＤとに対応付けられて、予め登録されていたが、この第２の実施形態では、充電装置ＩＤおよび充電プラグＩＤと駐車スペース確保装置ＩＤとに対応付けられて、予め登録されている。その他は、第１の実施形態の充電装置管理テーブルと同様である。
【０３５１】
また、図３８は、この第２の実施形態における充電予約管理テーブルの一例である。この第２の実施形態の充電予約管理テーブルは、第１の実施形態の充電予約管理テーブルとは、各予約番号の充電予約の管理項目「充電装置ＩＤ」が、管理項目「充電装置ＩＤおよび充電プラグＩＤ」に変更される点が異なるだけで、他の管理項目は同一である。
【０３５２】
この第２の実施形態では、充電予約要求に対する充電予約管理テーブルへの充電予約設定は、充電装置および充電プラグとなるが、充電プラグのそれぞれに対して駐車スペースが割り当てられるので、充電予約要求をしてきた会員に対する通知は、第１の実施形態と同様に、充電装置番号と駐車スペース番号の通知でよい。なお、図３８に示すように、充電予約管理テーブルにおける管理項目としては、充電装置ＩＤおよび充電プラグＩＤ並びに駐車スペース確保装置ＩＤとなる。
【０３５３】
そして、この第２の実施形態においては、制御装置２では、充電予約要求があったときに充電装置の空きがなくても、充電プラグの空き（駐車スペースの空きに等しい）があれば、その充電予約要求を受け付けて付与した予約番号に、会員ＩＤおよびその空きの充電プラグＩＤおよび充電装置ＩＤを管理項目として登録すると共に、「予約設定状況」を、「予約設定済」とする。なお、充電プラグの空きがないときには、充電予約要求を受け付けて付与した予約番号に会員ＩＤを登録すると共に、「予約設定状況」を、「予約設定待ち」とするのは第１の実施形態と同様である。
【０３５４】
そして、この第２の実施形態では、充電プラグに空きが生じたときの処理が第１の実施形態とは異なる。すなわち、第１の実施形態では、充電装置の空きが生じたときには、充電予約管理テーブルにおいて管理項目「予約設定状況」が「予約設定待ち」となっている充電予約番号を探し、それに空きの充電装置を割り付けるようにした。
【０３５５】
これに対して、この第２の実施形態では、充電装置のいずれかの充電プラグに空きが生じたときには、まず、充電予約管理テーブルにおいて、同じ充電装置の他の充電プラグについての管理項目「予約設定状況」が「予約設定済」となっている予約番号があるか否か判別する。「予約設定済」となっている予約番号がないと判別したときには、制御装置２は、管理項目「予約設定状況」を「予約設定待ち」となっている予約番号に、空きとなった充電プラグＩＤおよび充電装置ＩＤを設定して、管理項目「予約設定状況」を「予約設定済」に変更する。そして、予約設定された充電装置および充電プラグを、携帯電話端末やパチンコ台ユニット３２を通じて会員に通知する。
【０３５６】
一方、充電装置のいずれかの充電プラグに空きが生じたときに「予約設定済」となっている予約番号があると判別したときには、制御装置２は、その「予約設定済」となっている予約番号の充電プラグのうちで最も小さい番号の予約番号の充電プラグを通じた充電を開始するように充電装置に充電開始指示をする。そして、その予約番号についての管理項目「予約設定状況」を「予約実行」とする。そして、制御装置２は、その予約実行を、会員がパチンコ遊技をしているパチンコ台ユニット３２を通じて会員に通知する。
【０３５７】
そして、制御装置２における、充電予約設定されている駐車スペース確保装置４からの駐車スペース進入要求の受信時処理は、図２３に示した第１の実施形態の場合と同様となる。ただし、制御装置２は、駐車スペース確保装置４からの駐車スペース進入要求を受けて、その駐車スペース確保装置４に対して駐車スペース進入許可通知を送ったときには、駐車スペース進入許可通知を送った駐車スペースに対応する充電プラグＩＤを認識する。そして、図２３のステップＳ１３９においては、充電装置管理テーブルに、その充電装置ＩＤと駐車スペース確保装置ＩＤと充電プラグＩＤとに対応する充電サービス番号に、会員ＩＤを登録する。
【０３５８】
この第２の実施形態では、充電装置１０における処理動作が第１の実施形態とは異なる。そして、この第２の実施形態では、充電装置１０に対する充電開始指示や、充電終了指示などの充電制御指示には、充電装置ＩＤのみではなく、充電プラグＩＤが含まれる。さらに、この充電制御指示に含まれるＩＤの違いの他、制御装置２の処理動作は、上述のステップＳ１３９での処理と、充電要求通知受信時処理と、駐車スペース退出要求受信時処理とが、第１の実施形態とが異なる。
【０３５９】
［充電装置１０での処理例；図３９〜図４０］
図３９〜図４０は、充電装置１０における処理動作例を説明するためのフローチャートである。なお、以下の説明においては、図４に示した充電装置１の構成における充電状況判断部１０４、受信信号解析部１０６、送信信号生成部１０７のそれぞれの処理機能は、制御部１０１が、そのソフトウエアプログラムによる実行する機能として実行する場合としている。
【０３６０】
先ず、制御部１０１は、カードリード・ライタ１２の読み取り出力を監視して、会員カードがカードリーダ・ライタ１２にかざされたか否か判別し（ステップＳ３０１）、会員カードがカードリーダ・ライタ１２にかざされたと判別したときには、制御部１０１は、カードリーダ・ライタ１２からの会員カードの読み取り出力から、会員ＩＤを読み込む（ステップＳ３０２）。
【０３６１】
そして、制御部１０１は、充電プラグ１４を電気自動車の充電用コネクタへの接続を促すメッセージをＬＣＤ１１の画面に表示する（ステップＳ３０３）。次に、制御部１０１は、充電プラグ接続検出部１０３の接続検出出力を監視して、充電プラグ１４が電気自動車の充電用コネクタに接続されるのを待つ（ステップＳ３０４）。
【０３６２】
そして、ステップＳ３０４で、充電プラグ１４が電気自動車の充電用コネクタに接続されたと判別したときには、制御部１０１は、接続プラグ接続検出部１０３０で、新たに接続された充電プラグの充電プラグＩＤを検出する（ステップＳ３０５）。次に、制御部１０１は、ステップＳ３０２で読み込んだ会員ＩＤと、自充電装置ＩＤと、ステップＳ３０５で検出された充電プラグＩＤとを含む充電要求通知を生成して、制御装置２に無線ＬＡＮ４を通じて送信する（ステップＳ３０６）。そして、制御部１０１は、処理をステップＳ３０１に戻す。制御装置２は、この充電装置ＩＤおよび充電プラグＩＤを含む充電要求通知に対する充電開始指示を、当該充電装置ＩＤおよび充電プラグＩＤを含むものとして生成して、制御装置２に送信することになる。
【０３６３】
ステップＳ３０１で、会員カードがカードリーダ・ライタ１２にかざされてはいないと判別したときには、制御部１０１は、制御装置２からの充電開始指示を受信したか否か判別する（ステップＳ３０７）。そして、ステップＳ３０７で、充電開始指示を受信してはいないと判別したときには、制御部１０１は、充電プラグ接続検出部１０３０の検出出力に基づき、いずれかの充電プラグが外されたか否か判別し、充電プラグは外されてはいないと判別したときには、処理をステップＳ３０１に戻す。
【０３６４】
また、ステップＳ３０８で、いずれかの充電プラグが外されたと判別したときには、制御部１０１は、外された充電プラグ（充電プラグＩＤ）を検出し、充電プラグ切替回路１１０を制御して、当該外された充電プラグを通じた充電を停止させて充電を終了させ、当該充電プラグを通じた次の充電を可能にするためのリセットをする（ステップＳ３０９）。次に、制御部１０１は、外された充電プラグの充電プラグＩＤと、自充電装置ＩＤとを含む充電プラグ接続解除通知を制御装置２に送信する（ステップＳ３１０）。そして、制御部１０１は、処理をステップＳ３０１に戻す。
【０３６５】
また、ステップＳ３０７で、充電開始指示を受信したと判別したときには、制御部１０１は、充電開始指示に含まれる充電プラグＩＤにより、充電開始指示された充電プラグを検出し、充電回路部１０２を制御して、当該検出した充電プラグを通じた電気自動車のバッテリーへの充電を開始する（図４０のステップＳ３１１）。
【０３６６】
次に、制御部１０１は、充電状況通知タイミングであるか否か判別する（ステップＳ３１２）。充電状況通知タイミングであるかどうかは、充電開始を起点とした一定周期のタイミングになったか、あるいは、充電量が予め定められた所定量になったか否かにより判別される。
【０３６７】
このステップＳ３１２において、充電状況通知タイミングであると判別したときには、制御部１０１は、充電状況判断部１０４の判断結果を用いて充電状況を検知して、それに基づく充電状況通知を生成し、無線ＬＡＮ４を通じて制御装置２に送信する（ステップＳ３１３）。そして、制御部１０１は、充電状況判断部１０４の判断結果から、いずれかの充電プラグに接続されている電気自動車のバッテリーの充電が完了をしているか否か判別する（ステップＳ３１４）。ステップＳ３１２で、充電状況通知タイミングではないと判別したときには、制御部１０１は、ステップＳ３１３をバイパスして、ステップＳ３１４に進む。
【０３６８】
このステップＳ３１４で、いずれかの充電プラグに接続されている電気自動車のバッテリーの充電が完了したと判別したときには、制御部１０１は、その充電プラグＩＤを含む充電完了通知を無線ＬＡＮ４を通じて制御装置２に送信する（ステップＳ３１５）。そして、制御部１０１は、制御装置２から送られてくる当該充電プラグＩＤで特定される充電プラグを通じた充電の終了指示の受信を待つ（ステップＳ３１６）。
【０３６９】
このステップＳ３１６で充電終了指示を受信したと判別したときには、制御部１０１は、充電プラグ切替回路１１０を制御して、当該充電プラグＩＤで特定される充電プラグを通じた充電を停止させて充電を終了させ、その充電プラグを通じた次の充電を可能にするためのリセットをする（ステップＳ３１７）。そして、制御部１０１は、処理ステップＳ３０１に戻し、このステップＳ３０１以降の処理を繰り返す。
【０３７０】
ステップＳ３１４で、いずれの充電プラグについても充電完了を判別しなかったときには、制御部１０１は、充電プラグ接続検出部１０３０の検出出力に基づき、いずれかの充電プラグが外されたか否か判別する（ステップＳ３１８）。これは、充電完了してはいないが、会員が帰宅等のため、充電を中止するために充電プラグが外される場合を想定している。ステップＳ３１８で、充電プラグは外されてはいないと判別したときには、制御部２０１は、処理をステップＳ３１２に戻す。
【０３７１】
ステップＳ３１８で、いずれかの充電プラグが外されたと判別したときには、制御部１０１は、外された充電プラグ（充電プラグＩＤ）を検出し、充電プラグ切替回路１１０を制御して、当該外された充電プラグを通じた充電を停止させて充電を終了させ、当該充電プラグを通じた次の充電を可能にするためのリセットをする（ステップＳ３１９）。次に、制御部１０１は、外された充電プラグの充電プラグＩＤと、自充電装置ＩＤとを含む充電プラグ接続解除通知を制御装置２に送信する（ステップＳ３２０）。そして、制御部１０１は、処理をステップＳ３０１に戻す。
【０３７２】
次に、図４１は、制御装置２における充電装置１０からの充電要求通知の受信時処理の動作例を説明するためのフローチャートである。
【０３７３】
制御部２０１は、充電装置１０から充電要求通知を受信すると、それに含まれている会員ＩＤと充電装置ＩＤと充電プラグＩＤを抽出して取得する（ステップＳ４０１）。そして、充電装置管理テーブルにおいて、取得した充電装置ＩＤおよび充電プラグＩＤの充電サービスについて登録されている会員ＩＤと、ステップＳ４０１で取得した会員ＩＤとを比較し（ステップＳ４０２）、両会員ＩＤが一致しているか否か判別する（ステップＳ４０３）。
【０３７４】
このステップＳ４０３での判別の結果、両会員ＩＤが一致してはいないと判別したときには、制御部２０１は、充電要求通知を送ってきた充電装置１０に、充電要求通知に含まれていた充電プラグＩＤを含めた充電不許可通知を送信し（ステップＳ４０４）、この処理ルーチンを終了する。
【０３７５】
また、ステップＳ４０３での判別の結果、両会員ＩＤが一致していると判別したときには、制御部２０１は、充電要求通知に含まれていた充電装置ＩＤの充電装置は他の充電プラグを通じて充電中であるか否か判別する（ステップＳ４０５）。このステップＳ４０５で既に充電中であると判別したときには、制御部２０１は、充電予約管理テーブルを参照して、当該充電要求通知に含まれる会員ＩＤが、いずれかの予約番号に対応して登録済であるか否か判別する（ステップＳ４０６）。
【０３７６】
このステップＳ４０６で、充電要求通知に含まれる会員ＩＤが、いずれかの予約番号に対応して登録済であると判別したときには、制御部２０１は、この処理ルーチンを終了する。また、ステップＳ４０６で、充電要求通知に含まれる会員ＩＤが、予約番号に対応して登録されてはいないと判別したときには、制御部２０１は、当該充電要求通知について新たな予約番号を付与すると共に、との予約番号に対応つけて、当該充電要求通知に含まれる会員ＩＤ、充電装置ＩＤ、充電プラグＩＤを、充電予約管理テーブルに登録し、その「予約設定状況」を、「予約設定済」とする（ステップＳ４０７）。
【０３７７】
また、ステップＳ４０５で充電装置は充電中ではないと判別したときには、制御部２０１は、ステップＳ４０１で取得した充電プラグＩＤを含めた充電開始指示を、充電要求通知を送ってきた充電装置１０に送信する（ステップＳ４０８）。次に、制御部２０１は、会員ＩＤおよび充電プラグＩＤに対応付けた充電時間タイマーをセットし、その充電時間計測を開始させる（ステップＳ４０９）。次に、制御部２０１は、充電装置管理テーブルのその充電プラグＩＤに対応する充電サービスについての充電ステータスを、「充電中」にする（ステップＳ４１０）。
【０３７８】
次に、制御部２０１は、ステップＳ４０１で取得した会員ＩＤが管理項目として登録されている予約番号が充電予約管理テーブルに存在するか否か判別し（ステップＳ４１１）、存在しなければそのままこの処理ルーチンを終了する。
【０３７９】
また、ステップＳ４１１で、ステップＳ４０１で取得した会員ＩＤが管理項目として登録されている予約番号が充電予約管理テーブルに存在すると判別したときには、制御部２０１は、当該予約番号の管理項目「充電予約状況」を、「予約実行」にする（ステップＳ４１２）。そして、この処理ルーチンを終了する。
【０３８０】
次に、この第２の実施形態における駐車スペース退出要求の受信時処理について説明する。この第２の実施形態においては、第１の実施形態における駐車スペース退出要求の受信時処理のうち、図３３に示した部分は、全く同一であるのでその説明は省略する。この第２の実施形態では、図３４に示した部分は、図４２および図４３に示すフローチャートの処理例に置き換えられる。
【０３８１】
図４２に示すように、第２の実施形態では、制御部２０１は、第１の実施形態と同様に、駐車スペース退出許可通知を、駐車スペース退出要求を送ってきた駐車スペース確保装置４に送信し（ステップＳ５０１）、その後、充電装置管理テーブルにおいて、駐車スペース退出要求を送ってきた駐車スペース確保装置４（充電プラグＩＤに対応）および対応する充電装置についての充電サービス番号の管理項目を削除する。そして、その充電サービス番号の管理項目「充電ステータス」は「空き」にする（ステップＳ５０２）。
【０３８２】
次に、制御部２０１は、充電予約管理テーブル中に、その充電サービスと同じ充電装置の他の充電プラグについての充電予約の予約番号であって、管理項目「予約遂行状況」が「予約設定済」になっている充電予約の予約番号があるか否か判別する（ステップＳ５０３）。このステップＳ５０３で、充電予約管理テーブル中に、同じ充電装置について、管理項目「予約遂行状況」が「予約設定待ち」になっている他の充電プラグの充電予約の予約番号があると判別したときには、それが一つであれば、その予約番号に設定されている充電プラグＩＤを含めた充電開始指示を、また、該当する充電予約の予約番号が複数個あるときには、そのうちの最も早い充電予約の予約番号に設定されている充電プラグＩＤを含めた充電開始指示を、その充電プラグを備える充電装置に対して送信する（ステップＳ５０４）。したがって、これにより、当該充電プラグに接続されている電気自動車に対する充電が開始される。
【０３８３】
次に、制御部２０１は、充電を開始した充電プラグＩＤを管理項目とする予約番号の管理項目「予約設定状況」を「予約実行」に変更する（ステップＳ５０５）。次に、制御部２０１は、当該予約実行した充電予約の予約番号についての管理項目「ユニットＩＤ」に、ユニットＩＤが登録されているか否か判別する（ステップＳ５０５）。ステップＳ５０５で、ユニットＩＤが登録されていると判別したときには、制御部２０１は、充電中表示情報を生成して、そのユニットＩＤのパチンコ台ユニット３２に送信する（ステップＳ５０７）。このとき、携帯電話端末のメールアドレスも登録されていれば、当該メールアドレス宛にも、予約設定した充電装置番号および駐車スペース番号を通知する（ステップＳ５０７）。
【０３８４】
また、ステップＳ５０６で、ユニットＩＤが登録されていないと判別したときには、制御部２０１は、予約設定した充電予約の予約番号について登録されている携帯電話端末のメールアドレス宛に、予約した充電が開始された旨を通知する（ステップＳ５０８）。なお、充電予約管理テーブルに予約実行した充電予約の予約番号について携帯電話端末のメールアドレスも登録されていないときには、会員登録情報を参照し、そこに携帯電話端末のメールアドレスが登録されていれば、そのメールアドレス宛に、充電開始を通知してもよい。なお、後で、ユニットＩＤが登録されたら、そのユニットＩＤのパチンコ台ユニット３２に充電中表示情報が送られるので、携帯電話端末に通知しなくても良い。
【０３８５】
制御部２０１は、ステップＳ５０７およびステップＳ５０８の処理の終了後、この処理ルーチンを終了する。
【０３８６】
また、ステップＳ５０３で、充電予約管理テーブル中に、同じ充電装置について、管理項目「予約遂行状況」が「予約設定待ち」になっている他の充電プラグの充電予約の予約番号がないと判別したときには、制御部２０１は、充電予約管理テーブル中に、管理項目「予約遂行状況」が「予約設定待ち」になっている充電予約の予約番号があるか否か判別する（図４３のステップＳ５１１）。このステップＳ５１１で、充電予約管理テーブル中に、管理項目「予約遂行状況」が「予約設定待ち」になっている充電予約の予約番号が無いと判別したときには、制御部２０１は、この処理ルーチンをそのまま終了する。
【０３８７】
また、ステップＳ５１１で、充電予約管理テーブル中に、管理項目「予約遂行状況」が「予約設定待ち」になっている充電予約の予約番号があると判別したときには、それが一つであれば、その充電予約に、また、該当する充電予約の予約番号が複数個あるときには、そのうちの最も早い充電予約の予約番号に、空いた充電プラグを予約設定し、その充電予約番号の管理項目「予約遂行状況」を「予約設定済」に変更する（ステップＳ５１２）。次に、制御部２０１は、予約設定をした充電プラグに対応する駐車スペース確保装置４に、駐車スペース確保要求を送信する（ステップＳ５１３）。
【０３８８】
次に、制御部２０１は、ステップＳ５１３で予約設定した充電予約の予約番号についての管理項目「ユニットＩＤ」に、ユニットＩＤが登録されているか否か判別する（ステップＳ５１４）。ステップＳ５１４で、ユニットＩＤが登録されていると判別したときには、制御部２０１は、そのユニットＩＤのパチンコ台ユニット３２に、予約設定した充電プラグを備える充電装置番号および駐車スペース番号（充電プラグ番号でも良い）を通知する。このとき、携帯電話端末のメールアドレスも登録されていれば、当該メールアドレス宛にも、予約設定した充電装置番号および駐車スペース番号を通知する（ステップＳ５１５）。
【０３８９】
また、ステップＳ５１４で、ユニットＩＤが登録されていないと判別したときには、制御部２０１は、予約設定した充電予約の予約番号について登録されている携帯電話端末のメールアドレス宛に、予約設定した充電装置番号および駐車スペース番号を通知する（ステップＳ５１６）。なお、予約設定した充電予約の予約番号について携帯電話端末のメールアドレスも登録されていないときには、会員登録情報を参照し、そこに携帯電話端末のメールアドレスが登録されていれば、そのメールアドレス宛に、予約設定した充電装置番号および駐車スペース番号を通知してもよい。また、前述もしたように、後で、ユニットＩＤが登録されたら、そのユニットＩＤのパチンコ台ユニット３２に通知するようにしても良い。
【０３９０】
制御部２０１は、ステップＳ５１５およびステップＳ５１６の処理の終了後、この処理ルーチンを終了する。
【０３９１】
なお、上述の第２の実施形態では、１つの充電装置で実行される充電は、常に、選択切り替えられた１個の充電プラグに対するものとした。しかし、複数個の充電プラグに対する充電要求が発生したときには、それら複数個の充電プラグに対する充電を時分割で行うようにしても良い。その場合に、充電予約の早い順に、より長い充電時間を割り当てるように時分割時間を割り当てるようにしても良い。
【０３９２】
例えば、１個の充電プラグのみが充電中であるときには、その充電プラグに対して充電時間を１００％割り当てるが、２個目の充電プラグに対する充電要求が発生したときには、最初の充電プラグと、次の充電プラグとに対する時分割時間を、例えば、
最初の充電プラグの割り当て時間：次の充電プラグの割り当て時間＝８：２
とする。さらに、３番目の充電プラグに対する充電要求が発生したときには、最初の充電プラグと、２番目の充電プラグと、３番目の充電プラグに対する時分割時間を、例えば、
最初の充電プラグの割り当て時間：２番目の充電プラグの割り当て時間：３番目の充電プラグの割り当て時間＝７：２：１
とする。
【０３９３】
［他の実施形態および変形例］
なお、上述の実施形態では、駐車スペース確保装置４による車両進入許可制御は、会員カードが挿入されたときに駐車スペース進入要求を制御装置２に送り、制御装置２からの駐車スペース進入許可通知／駐車スペース進入不許可通知を受けることにより行うようにした。そのため、予約設定された駐車スペースについての駐車スペース確保装置４であっても、敢えて、車両進入制御バーを閉状態にロックする必要が構成であった。
【０３９４】
しかし、次のように構成することもできる。すなわち、駐車スペース確保装置４は、制御装置２の会員登録情報管理部２０９と同じ会員ＩＤの情報を記憶するようにして、制御装置２に対して駐車スペース進入要求を送ることに無く、自装置で会員認証を行って駐車スペース進入許可制御／駐車スペース進入不許可制御を行えるように構成する。
【０３９５】
そして、制御装置２は、予約設定されていない駐車スペース確保装置４に対しては、自装置での駐車スペース進入許可制御／駐車スペース進入不許可制御を許可する制御信号を送る。
【０３９６】
一方、予約設定されている駐車スペース確保装置４に対しては、車両進入許可する会員ＩＤを送り、当該会員ＩＤ以外に対する駐車スペース進入許可制御を行わせないようにする制御信号を送る。以上のような構成により、上述の実施形態と同様の作用効果を得ることができる。
【０３９７】
なお、以上の実施形態においては、充電予約は当日のみ有効とし、パチンコ店の１日の営業の終業時間が経過すると、充電予約管理テーブルの各管理項目は、すべて削除されてリセットされる。このリセットの前に、当日の充電予約管理テーブルの内容を、日付に対応付けて、別個に蓄積しておき、会員による充電予約サービスの利用状況を管理したり、予約したが、予約を実行しなかった会員を把握するための情報としたりするようにすることもできる。
【０３９８】
また、以上の例では、充電装置からの充電要求通知を受けたときに、制御装置２は、充電装置管理テーブルに当該充電要求を登録するようにしたが、駐車スペース確保装置４から会員ＩＤを含む駐車スペース進入要求を受けて、それに対して駐車スペース進入許可通知を発生したときに、充電装置管理テーブルに充電要求を登録するようにしても良い。何故なら、駐車スペース９に車両を進入させるのは、充電装置１での充電を目的とするものであるからである。したがって、充電装置１には、会員カードのカードリーダ・ライタを設ける必要は無い。ただし、充電装置１で、充電プラグ１４が車両の充電用コネクタに接続されたときに、その充電プラグ接続通知を、充電装置ＩＤと共に、制御装置２に送るようにした方がよい。車両が進入した駐車スペース９の充電装置での充電を行われることが当該充電プラグ接続通知で確認できるからである。
【０３９９】
また、上述の実施形態では、会員は充電完了になるか、あるいは自分で強制的に充電を解除するまでは、充電サービスを受けることができるように構成したが、会員が実際にパチンコ遊技をした時間（遊技中タイマーで時間計測を行っている時間）のみ、充電サービスを受けることができるように構成しても良い。
【０４００】
また、上述の実施形態では、充電サービスは基本的には有料サービスであり、会員が実際にパチンコ遊技をした時間に応じて発生する遊技ポイントで充電料金を充当することができるようにした。しかし、基本的には充電サービスを無料とし、会員が実際にパチンコ遊技をした時間（遊技中タイマーで時間計測を行っている時間）だけ、充電サービスを受けることができるようにしても良い。
【０４０１】
なお、上述の実施形態の充電装置は、ＡＣ２００Ｖの電源で急速充電を行うことができる充電装置とし、充電予約をして待機している状態では、ＡＣ１００Ｖの低速充電を行う充電装置で行えるようにしても良い。
【０４０２】
また、上述の実施形態では、駐車スペース確保装置４は、車両進入制御バー４１と、バー開閉駆動制御機構４２とからなる構成としたが、このような構成のものに限られる訳ではない。例えば、駐車スペース内にロック板を立てて車両の進入を阻止し、制御装置２からの車両進入許可通知を受けて、立てていたロック板を寝かせて、車両の進入を許可するタイプのものであっても良い。
【０４０３】
なお、上述の実施形態では、１個または複数個の充電装置に対して、別体の１台の制御装置２で充電サービスを制御する構成としたが、制御装置２は、各充電装置に内蔵するようにしても良い。その場合には、制御装置は、自分が内蔵される充電装置の充電要求を管理すればよいので、複数台の充電装置を管理するための充電装置管理テーブルを生成して管理する必要は無い。
【０４０４】
ただし、その場合においては、各充電装置に内蔵される制御装置２は、それぞれ、複数個のパチンコ台ユニット３２と通信する必要が生じ、構成が複雑になる。そこで、パチンコ店において当該複数個のパチンコ台ユニット３２の状態を管理するパーソナルコンピュータが存在している場合には、そのパーソナルコンピュータと、各充電装置に内蔵される制御装置２とで通信を行うようにすればよい。
【０４０５】
なお、上述の実施形態は、充電装置が設けられている施設がパチンコ店であり、施設装置は、パチンコ台（パチンコ台ユニット）である場合であるが、この発明が適用可能な施設は、これに限らないことは言うまでもない。また、充電サービスを受けることができる利用者は、会員登録された会員に限られるものでもない。
【０４０６】
例えば、充電装置が設けられている施設が映画館や劇場などであって、その入場チケットに例えば２次元バーコードを利用識別情報として印刷されている場合において、当該施設に付随する駐車場に設置された充電装置で電気自動車のバッテリーの充電サービスを受ける場合に適用することができる。
【０４０７】
また、以上は、バッテリー駆動装置が電気自動車の場合であるが、バッテリー駆動装置は、電気自動車や電動車両に限られるものではない。例えば、小型携帯パソコンや、携帯電話端末などのバッテリー駆動の電子装置の充電サービスにもこの発明は適用可能であり、その他種々のバッテリー駆動装置の充電サービスを行う場合にも、この発明は適用可能である。
【０４０８】
なお、利用識別情報は、上述した会員ＩＤやバーコードなどに限られるものではなく、識別情報として利用可能なものであれば、どのような形態のものであっても良い。
【０４０９】
また、利用識別情報は、施設の運営者がＷＥＢサイトや携帯電話サイトなどから利用者にダウンロードすることにより提供するようにしても良い。その場合、利用者は携帯電話端末などの携帯端末に利用識別情報を格納しておき、施設に設けられた例えば充電装置やバー駆動制御装置などに設けられた利用識別情報の読み取り機で、例えば電磁誘導などの非接触通信により当該利用識別情報を読み取らせるようにすればよい。
【符号の説明】
【０４１０】
１…充電装置、２…制御装置、３…パチンコ台、４…駐車スペース確保装置、９…駐車スペース、１２…カードリーダ・ライタ、１４…充電プラグ、３２…パチンコ台ユニット、３４…ＬＣＤ（表示部）
【図１】
0005598664.tif 000002
【図２】
0005598664.tif 000003
【図３】
0005598664.tif 000004
【図４】
0005598664.tif 000005
【図５】
0005598664.tif 000006
【図６】
0005598664.tif 000007
【図７】
0005598664.tif 000008
【図８】
0005598664.tif 000009
【図９】
0005598664.tif 000010
【図１０】
0005598664.tif 000011
【図１１】
0005598664.tif 000012
【図１２】
0005598664.tif 000013
【図１３】
0005598664.tif 000014
【図１４】
0005598664.tif 000015
【図１５】
0005598664.tif 000016
【図１６】
0005598664.tif 000017
【図１７】
0005598664.tif 000018
【図１８】
0005598664.tif 000019
【図１９】
0005598664.tif 000020
【図２０】
0005598664.tif 000021
【図２１】
0005598664.tif 000022
【図２２】
0005598664.tif 000023
【図２３】
0005598664.tif 000024
【図２４】
0005598664.tif 000025
【図２５】
0005598664.tif 000026
【図２６】
0005598664.tif 000027
【図２７】
0005598664.tif 000028
【図２８】
0005598664.tif 000029
【図２９】
0005598664.tif 000030
【図３０】
0005598664.tif 000031
【図３１】
0005598664.tif 000032
【図３２】
0005598664.tif 000033
【図３３】
0005598664.tif 000034
【図３４】
0005598664.tif 000035
【図３５】
0005598664.tif 000036
【図３６】
0005598664.tif 000037
【図３７】
0005598664.tif 000038
【図３８】
0005598664.tif 000039
【図３９】
0005598664.tif 000040
【図４０】
0005598664.tif 000041
【図４１】
0005598664.tif 000042
【図４２】
0005598664.tif 000043
【図４３】
0005598664.tif 000044